(57)【要約】  本発明の被監視者監視支援システムおよび該方法では、監視者が監視領域に入場する際、監視者の第１特定情報および撮像部の第２特定情報のうちの一方の特定情報が読み取られ、前記一方の特定情報が読み取られると、他方の特定情報を予め持つ生成部によって、これと前記他方の特定情報とを紐付けた紐付け情報が出力され、前記第２特定情報が入力され監視記録情報が入力されると、前記第２特定情報と前記監視記録情報とを紐付けた紐付け監視記録情報が出力され、自機の第２特定情報を予め持つ撮像部によって、監視領域の画像が生成されて第２特定情報と共に出力され、それぞれからの前記第２特定情報、前記紐付け情報および前記紐付け監視記録情報に基づいて、前記撮像部からの画像が、前記監視記録情報と前記第１特定情報とに紐付けられて記憶される。
2019142450.tif 000002
【特許請求の範囲】
【請求項１】
監視領域に所在する監視対象の被監視者の監視を支援する被監視者監視支援システムであって、
前記監視領域に対応して設けられ、前記監視領域の画像を生成する撮像部と、
前記撮像部で生成された画像を記憶する画像記憶部と、
前記撮像部で生成された画像を前記画像記憶部に記憶させる画像記憶処理部と、
所定の監視者が監視領域に入場する場合に、前記監視者を特定する第１特定情報および前記監視領域に対応する撮像部を特定する第２特定情報のうちの一方の特定情報を読み取る読取部と、
前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する第１生成部と、
前記第２特定情報の入力を受け付け、監視記録情報の入力を受け付けた場合に、前記受け付けた第２特定情報と前記受け付けた監視記録情報とを互いに紐付けて紐付け監視記録情報を生成し、前記生成した紐付け監視記録情報を前記画像記憶処理部へ出力する第２生成部とを備え、
前記撮像部は、予め自機の第２特定情報を持ち、前記生成した画像を前記自機の第２特定情報と共に前記画像記憶処理部へ出力し、
前記画像記憶処理部は、前記撮像部からの第２特定情報、前記第１生成部からの紐付け情報、および、前記第２生成部からの紐付け監視記録情報に基づいて、前記撮像部からの画像を、前記監視記録情報と前記第１特定情報とに紐付けて前記画像記憶部に記憶する、
被監視者監視支援システム。
【請求項２】
前記読取部は、さらに、前記監視者が前記監視領域から退場する場合に、前記第１および第２特定情報のうちの一方の特定情報を読み取り、
前記読取部で読み取った前記一方の特定情報を管理し、既に管理している前記一方の特定情報が前記読取部でさらに読み取った場合に、前記既に管理している前記一方の特定情報の管理を解除する管理部と、
前記管理部で管理されている前記一方の特定情報が有る場合に、撮像開始の指示を前記撮像部へ出力し、前記管理部で管理されている前記一方の特定情報が無くなった場合に、撮像終了の指示を前記撮像部へ出力する撮像制御部とをさらに備え、
前記撮像部は、前記撮像制御部から前記撮像開始の指示を受けると、撮像を開始し、前記撮像制御部から前記撮像終了の指示を受けると、撮像を終了する、
請求項１に記載の被監視者監視支援システム。
【請求項３】
前記監視領域に対応して設けられ、前記監視領域に対する入場の有無を検知する入場検知部をさらに備え、
前記生成部は、さらに、前記監視者が入る監視領域に対応する前記入場検知部で入場有りを検知した場合に、前記紐付き情報を前記画像記憶処理部へ出力する、
請求項１または請求項２に記載の被監視者監視支援システム。
【請求項４】
前記監視領域に対応して設けられ、前記監視領域に対する入退場の有無を検知する入退場検知部をさらに備え、
前記撮像制御部は、さらに、前記監視者が入る監視領域に対応する前記入退場検知部で入場有りを検知した場合に、前記撮像開始の指示を前記撮像部へ出力し、さらに、前記監視が入る監視領域に対応する前記入退場検知部で退場有りを検知した場合に、前記撮像終了の指示を前記撮像部へ出力する、
請求項２に記載の被監視者監視支援システム。
【請求項５】
監視領域に所在する監視対象の被監視者の監視を支援する被監視者監視支援方法であって、
前記監視領域に対応して設けられる撮像部で、前記監視領域の画像を生成する画像生成工程と、
前記画像生成工程で生成された画像を画像記憶部に記憶させる画像記憶処理工程と、
所定の監視者が監視領域に対し入場する場合に、前記監視者を特定する第１特定情報および前記監視領域に対応する撮像部を特定する第２特定情報のうちの一方の特定情報を読み取る読取工程と、
前記第１および第２特定情報のうちの他方の特定情報を予め持つ生成部で、前記他方の特定情報と前記読取工程で読み取った前記一方の特定情報とを互いに紐付けた紐付け情報を生成する第１生成工程と、
前記第２特定情報の入力を受け付け、監視記録情報の入力を受け付けた場合に、前記受け付けた第２特定情報と前記受け付けた監視記録情報とを互いに紐付けて紐付け監視記録情報を生成する第２生成工程とを備え、
前記撮像部は、予め自機の第２特定情報を持ち、
前記画像記憶処理工程は、前記撮像部によって前記撮像工程で生成された画像を、前記撮像部の前記第２特定情報および前記生成部によって前記第１生成工程で生成された前記紐付け情報に基づく前記第１特定情報に紐付け、かつ、前記撮像部の前記第２特定情報および前記第２生成工程で生成された前記紐付き監視記録情報に基づく前記監視記録情報に紐付けて前記画像記憶部に記憶する、
被監視者監視支援方法。
【発明の詳細な説明】
【技術分野】
【０００１】
本発明は、監視領域に所在する監視対象の被監視者の監視を支援する被監視者監視支援システムおよび被監視者監視支援方法に関する。
【背景技術】
【０００２】
近年、超高齢社会の突入に伴って、看護業界や介護業界等の業務を補完する技術が、研究、開発されており、例えば、特許文献１に開示されている。【０００３】
この特許文献１に開示された情報管理システムでは、ヘルパーは、訪問介護を実施すると、利用者（被介護者）の情報である利用者情報を記入する訪問介護サービス実施記録票を作成し、ユーザ端末で前記訪問介護実施サービス実施記録票を撮影登録する。前記ヘルパーは、褥瘡の患部写真などの被看護者の体調についての介護記録画像を前記ユーザ端末で撮影する。ユーザ端末は、前記撮影された訪問介護サービス実施記録票から、他のヘルパーと共有する共有範囲情報を抽出し、この抽出した共有範囲情報および前記撮影された介護記録画像を関連づけて介護情報サーバへ送信する。介護情報サーバは、ユーザ端末から受信した共有範囲情報および介護記録画像を関連付けて記憶（記録）する。【０００４】
ところで、日本において、介護施設等での虐待件数は、２０１２年度に１５５件、２０１３年度に２２１件と報告され、近年、増加傾向にあり、介護施設等での虐待事件に関する報道も多くなってきている。このような社会背景により、介護施設等に入所する被介護者等の家族から、介護等の状況の説明を求められる機会が増加している。このような場合、介護施設等の職員は、現状、介護者が記録した介護記録に基づいて前記介護等の状況を説明している。しかしながら、前記家族から、その立証を求められた場合、前記介護等の状況を直接的に示す証拠が無く、その立証が難しい。【０００５】
前記特許文献１に開示された情報管理システムは、共有範囲情報に介護記録画像を関連付けられるが、前記介護記録画像は、褥瘡の患部写真などの被看護者の体調についての画像であり、前記介護等の状況を直接的に示す証拠に成り難い。したがって、前記特許文献１に開示された情報管理システムを利用しても、前記立証が難しい。
【先行技術文献】
【特許文献】
【０００６】
【特許文献１】特開２０１４−２１５６８７号公報
【発明の概要】
【０００７】
本発明は、上述の事情に鑑みて為された発明であり、その目的は、例えば介護等の状況を直接的に示す画像を記憶（記録）できる被監視者監視支援システムおよび被監視者監視支援方法を提供することである。
【０００８】
上述した目的を実現するために、本発明の一側面を反映した被監視者監視支援システムおよび被監視者監視支援方法では、監視者が監視領域に入場する際、監視者の第１特定情報および撮像部の第２特定情報のうちの一方の特定情報が読み取られ、前記一方の特定情報が読み取られると、他方の特定情報を予め持つ生成部によって、これと前記他方の特定情報とを紐付けた紐付け情報が生成されて出力され、前記第２特定情報が入力され監視記録情報が入力されると、前記第２特定情報と前記監視記録情報とを紐付けた紐付け監視記録情報が生成されて出力され、自機の第２特定情報を予め持つ撮像部によって、監視領域の画像が生成されて第２特定情報と共に出力され、それぞれからの前記第２特定情報、前記紐付け情報および前記紐付け監視記録情報に基づいて、前記撮像部からの画像が、前記監視記録情報と前記第１特定情報とに紐付けられて記憶される。
【０００９】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない。
【図面の簡単な説明】
【００１０】
【図１】実施形態における被監視者監視支援システムの構成を示す図である。
【図２】前記被監視者監視支援システムにおける第１実施形態の撮像装置の構成を示す図である。
【図３】前記被監視者監視支援システムにおける第１実施形態の管理サーバ装置の構成を示す図である。
【図４】図３に示す前記管理サーバ装置に記憶される画像介護記録情報テーブルの構成を示す図である。
【図５】前記被監視者監視支援システムにおける第１実施形態の携帯端末装置の構成を示す図である。
【図６】一例として、前記被監視者監視支援システムにおける画像と介護との記録に関する第１実施形態の動作を示すシーケンス図である。
【図７】図６に示す動作におけるＣＵ入出状況情報テーブルの変遷を説明するための図である。
【図８】前記被監視者監視支援システムにおける第２実施形態の撮像装置の構成を示す図である。
【図９】前記被監視者監視支援システムにおける第２実施形態の管理サーバ装置の構成を示す図である。
【図１０】前記被監視者監視支援システムにおける第２実施形態の携帯端末装置の構成を示す図である。
【図１１】一例として、前記被監視者監視支援システムにおける画像と介護との記録に関する第２実施形態の動作を示すシーケンス図である。
【図１２】図１１に示す動作におけるＳＶ入出状況情報テーブルの変遷を説明するための図である。
【図１３】前記被監視者監視支援システムにおける第３実施形態の撮像装置の構成を示す図である。
【図１４】一例として、前記被監視者監視支援システムにおける画像と介護との記録に関する第３実施形態の動作を示すシーケンス図である。
【図１５】図１１に示す動作におけるＳＶ入出状況情報テーブルの変遷を説明するための図である。
【発明を実施するための形態】
【００１１】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１２】
実施形態における被監視者監視支援システムは、予め設定された所定の監視領域に所在する監視対象の被監視者の監視を支援する被監視者監視支援システムであって、撮像部と、画像記憶部と、画像記憶処理部と、読取部と、第１生成部と、第２生成部とを備える。前記撮像部は、前記監視領域に対応して設けられ、前記監視領域の画像を生成する。前記画像記憶部は、前記撮像部で生成された画像を記憶する。前記画像記憶処理部は、前記撮像部で生成された画像を前記画像記憶部に記憶させる。前記読取部は、所定の監視者が監視領域に入場する場合に、前記監視者を特定する第１特定情報および前記監視領域に対応する撮像部を特定する第２特定情報のうちの一方の特定情報を読み取る。前記第１生成部は、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する。前記第２生成部は、前記第２特定情報の入力を受け付け、監視記録情報の入力を受け付けた場合に、前記受け付けた第２特定情報と前記受け付けた監視記録情報とを互いに紐付けて紐付け監視記録情報を生成し、前記生成した紐付け監視記録情報を前記画像記憶処理部へ出力する。そして、前記撮像部は、予め自機の第２特定情報を持ち、前記生成した画像を前記自機の第２特定情報と共に前記画像記憶処理部へ出力し、前記画像記憶処理部は、前記撮像部からの第２特定情報、前記第１生成部からの紐付け情報、および、前記第２生成部からの紐付け監視記録情報に基づいて、前記撮像部からの画像を、前記監視記録情報と前記第１特定情報とに紐付けて前記画像記憶部に記憶する。以下、このような被監視者監視支援システムがセンサ装置ＳＵ、識別装置ＲＤ、管理サーバ装置ＳＶおよび携帯端末装置ＴＡの複数の機器を備え、被監視者Ｏｂの監視を支援する場合について、より具体的に説明する。そして、この場合に、前記撮像部、前記画像記憶部、前記画像記憶処理部、前記読取部、前記第１生成部および前記第２生成部それぞれは、これら複数の機器のうちのいずれに実装されて良い。
【００１３】
（第１実施形態）
図１は、実施形態における被監視者監視支援システムの構成を示す図である。図２は、前記被監視者監視支援システムにおける第１実施形態の撮像装置の構成を示す図である。図３は、前記被監視者監視支援システムにおける第１実施形態の管理サーバ装置の構成を示す図である。図４は、図３に示す前記管理サーバ装置に記憶される画像介護記録情報テーブルの構成を示す図である。図５は、前記被監視者監視支援システムにおける第１実施形態の携帯端末装置の構成を示す図である。
【００１４】
第１実施形態における被監視者監視支援システムＭＳａは、予め設定された所定の監視領域に所在する、監視すべき（見守るべき）監視対象の被監視者（見守り対象）である被監視者（見守り対象者）Ｏｂ（Ｏｂ−１〜Ｏｂ−３）の監視を所定の監視者ＮＳに対して支援するものであり、第１実施形態では、前記読取部は、ＩＤ装置ＲＤａに実装され、前記撮像部および前記第１生成部は、撮像装置ＣＵａに実装され、前記第２生成部は、携帯端末装置ＴＡａに実装され、前記画像記憶部および前記画像記憶処理部は、管理サーバ装置ＳＶａに実装される。
【００１５】
この被監視者監視支援システムＭＳａは、例えば、図１に示すように、１または複数の撮像装置ＣＵａ（ＣＵａ−１〜ＣＵａ−３）と、１または複数の識別装置（ＩＤ装置）ＲＤａ（ＲＤａ−１〜ＲＤａ−３）と、管理サーバ装置ＳＶａと、１または複数の携帯端末装置ＴＡａ（ＴＡａ−１、ＴＡａ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数の撮像装置ＣＵａ−１〜ＣＵａ−３、管理サーバ装置ＳＶａ、複数の携帯端末装置ＴＡａ−１、ＴＡａ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数の撮像装置ＣＵａ−１〜ＣＵａ−３、管理サーバ装置ＳＶａおよび構内交換機ＣＸは、集線装置ＬＳに接続され、複数の携帯端末装置ＴＡａ−１、ＴＡａ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１６】
被監視者監視支援システムＭＳａは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視支援システムＭＳａは、被監視者Ｏｂの種類に応じて、病院、老人福祉施設および住戸等の建物に好適に配設される。そして、監視者ＮＳは、被監視者Ｏｂおよび被監視者監視支援システムＭＳａの配設場所等に応じて決定され、例えば被監視者Ｏｂが患者Ｏｂであり、被監視者監視支援システムＭＳａの配設場所が病院である場合には、監視者ＮＳは、これに応じた看護師ＮＳであり、また例えば、被監視者Ｏｂが被介護者Ｏｂであり、被監視者監視支援システムＭＳａの配設場所が介護施設である場合には、監視者ＮＳは、これに応じた介護士ＮＳである。図１に示す例では、被監視者監視支援システムＭＳａは、複数の被監視者Ｏｂが入居する複数の居室ＲＭや、ナースステーション等の複数の居室を備える介護施設の建物に配設され、監視者ＮＳは、介護士ＮＳである。
【００１７】
構内交換機（回線切換機）ＣＸは、ネットワークＮＷに接続され、携帯端末装置ＴＡａ同士における発信、着信および通話等の内線電話の制御を行って前記携帯端末装置ＴＡａ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡａとの間における発信、着信および通話等の外線電話の制御を行って外線電話機ＴＬと携帯端末装置ＴＡａとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１８】
ＩＤ装置ＲＤａは、監視対象の被監視者Ｏｂが所在する監視領域に対応して設けられ、所定の監視者ＮＳが監視領域に入場する場合に、前記監視者ＮＳを特定する第１特定情報および前記監視領域に対応する撮像部ＣＵａを特定する第２特定情報のうちの一方の特定情報を読み取る装置である。より具体的には、第１実施形態では、ＩＤ装置ＲＤａは、所定の監視者ＮＳが監視領域に入場する場合に、前記監視者ＮＳを特定する第１特定情報を前記一方の特定情報として外部から読み取る装置である。より詳しくは、第１実施形態では、ＩＤ装置ＲＤａは、後述のように前記第１特定情報を記憶する携帯端末装置ＴＡａから無線通信で前記第１特定情報を読み取り、この読み取った前記第１特定情報を有線通信または無線通信で、当該ＩＤ装置ＲＤａが設けられた前記監視領域に対応して設けられた撮像装置ＣＵａへ通知するリーダである。すなわち、１対１で、あるいは、１対多で、あるいは、多対１で、あるいは、多対多で互いに対応付けられたＩＤ装置ＲＤａおよび撮像装置ＣＵａは、同一の監視領域に対応付けられる。前記携帯端末装置ＴＡａには、後述するように、携帯電話装置、スマートフォンおよびタブレット端末装置等が含まれる。ＩＤ装置ＲＤａと携帯端末装置ＴＡａとの間における前記無線通信には、例えばＢｌｕｅｔｏｏｔｈ（登録商標）規格等の近距離無線通信が利用される。ＩＤ装置ＲＤａと撮像装置ＳＵａとの間における前記有線通信または無線通信には、例えば前記ネットワークＮＷが利用されて良く、あるいは、ＩＤ装置ＲＤａと撮像装置ＳＵａとの間における前記無線通信には、例えば前記近距離無線通信が利用されて良い。
【００１９】
前記監視領域は、被監視者監視支援システムＭＳａが配設される場所に応じた適宜な領域であり、本実施形態では、被監視者監視支援システムＭＳａが介護施設の建物に配設されるため、前記監視領域は、被監視者Ｏｂが居る介護施設の居室ＲＭである。このため、複数のＩＤ装置ＲＤａ−１〜ＲＤａ−３それぞれは、複数の居室ＲＭ−１〜ＲＭ−３それぞれに配設される。なお、例えば被監視者監視支援システムＭＳａが病院の建物に配設される場合には、前記監視領域は、被監視者Ｏｂが居る病院の居室（病室）であり、また例えば、被監視者監視支援システムＭＳａが住戸の建物に配設される場合には、前記監視領域は、被監視者Ｏｂが居る住戸の居室である。また、前記居室が複数の被監視者Ｏｂが所在するいわゆる大部屋である場合には、前記監視領域は、被監視者Ｏｂが使用する寝具を含む所定の領域であって良い。あるいは、前記監視領域は、住戸の居室における、被監視者Ｏｂが使用する寝具を含む所定の領域であって良い。
【００２０】
前記第１特定情報は、例えば、監視者ＮＳを特定し識別するための識別子である監視者識別子（監視者ＩＤ）である。前記監視者ＩＤは、例えば、監視者名、職員番号およびシリアル番号等の所定の符号列である。図１に示す例では、前記監視者ＩＤは、介護士ＮＳを特定し識別するための識別子である介護士識別子（介護士ＩＤ）である。前記監視者ＩＤは、覚え易さ等の観点から、監視者名（介護士名）であることが好ましい。
【００２１】
前記第２特定情報は、前記監視領域に対応する撮像装置ＣＵａを特定するための情報であり、例えば、撮像装置ＣＵａを特定し識別するための識別子である撮像装置識別子（カメラＩＤ）である。本実施形態では、撮像装置ＣＵａは、前記監視領域に対応して設けられ、前記監視領域は、被監視者Ｏｂが所在する居室であるので、前記カメラＩＤは、居室名、居室番号、前記居室ＲＭに所在する被監視者Ｏｂの被監視者名およびシリアル番号等の所定の符号列であって良い。前記カメラＩＤは、覚え易さ等の観点から、居室名あるいは被監視者名（被介護者名）であることが好ましい。
【００２２】
なお、ＩＤ装置ＲＤａは、第１実施形態では、所定の監視者が監視領域に入場する場合に、前記監視者を特定する第１特定情報および前記監視領域に対応する撮像部を特定する第２特定情報のうちの一方の特定情報を読み取る読取部の一例に相当する。
【００２３】
なお、上述では、ＩＤ装置ＲＤａは、携帯端末装置ＴＡａから無線通信で前記第１特定情報を読み取り、この読み取った前記第１特定情報を有線通信または無線通信で撮像装置ＣＵａへ通知するリーダであったが、これに限定されるものではなく、他の装置であっても良い。例えば、監視者ＮＳが携帯端末装置ＴＡａとは別途に、前記第１特定情報を記憶するＩＣカード（ＲＦタグ）または磁気カードを所持する場合には、ＩＤ装置ＲＤａは、前記ＩＣカード（ＲＦタグ）または前記磁気カードから前記第１特定情報を読み取り、この読み取った前記第１特定情報を有線通信または無線通信で撮像装置ＣＵａへ通知するカードリーダであって良い。あるいは、監視者ＮＳが携帯端末装置ＴＡａとは別途に、前記第１特定情報を表す１次元コード（バーコード）または２次元コードを持つＩＤカードを所持する場合には、ＩＤ装置ＲＤａは、前記１次元コード（バーコード）または前記２次元コードから前記第１特定情報を読み取り、この読み取った前記第１特定情報を有線通信または無線通信で撮像装置ＣＵａへ通知するコードリーダであって良い。
【００２４】
撮像装置ＣＵａは、前記監視領域に対応して設けられ、ネットワークＮＷを介して管理サーバ装置ＳＶａと通信する通信機能等を備え、前記監視領域の画像を生成する装置である。そして、本実施形態では、撮像装置ＣＵａは、監視領域に対する監視者ＮＳの入出状況を管理し、予め自機の第２特定情報を持ち、前記生成した画像を前記自機の第２特定情報と共に管理サーバ装置ＳＶａへ出力（送信）する。このような撮像装置ＣＵａは、例えば、図２に示すように、カメラ１１と、撮像側制御処理部（ＣＵ制御処理部）１２ａと、撮像側通信インターフェース部（ＣＵ通信ＩＦ部）１３と、撮像側記憶部（ＣＵ記憶部）１４ａとを備える。
【００２５】
カメラ１１は、ＣＵ制御処理部１２ａに接続され、ＣＵ制御処理部１２ａの制御に従って、画像（画像データ）を生成する装置である。前記画像には、静止画（静止画データ）および動画（動画データ）が含まれる。カメラ１１は、前記監視領域（図１に示す例では配設場所の居室（部屋）ＲＭ）を監視可能に配置され、前記監視領域を撮像対象としてその上方から撮像し、前記撮像対象を俯瞰した画像（画像データ）を生成し、前記撮像対象の画像（対象画像）をＣＵ制御処理部１２ａへ出力する。好ましくは、被監視者Ｏｂに対する監視者ＮＳの対処全体を撮像できる蓋然性が高いことから、カメラ１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。撮像装置ＣＵａは、このカメラ１１によって、被監視者Ｏｂを、被監視者Ｏｂの上方から撮像した画像、好ましくは前記頭部予定位置の直上から撮像した画像を取得する。このようなカメラ１１は、例えば、可視光の画像を生成する可視カメラであって良く、あるいは例えば、比較的暗がりでも被監視者Ｏｂを監視できるように、本実施形態では、赤外線の画像を生成する赤外線カメラである。
【００２６】
ＣＵ通信ＩＦ部１３は、ＣＵ制御処理部１２ａに接続され、ＣＵ制御処理部１２ａの制御に従って通信を行うための通信回路である。ＣＵ通信ＩＦ部１３は、ＣＵ制御処理部１２ａから入力された転送すべきデータを収容した通信信号を、この被監視者監視支援システムＭＳａのネットワークＮＷで用いられる通信プロトコルに従って生成し、この生成した通信信号をネットワークＮＷを介して管理サーバ装置ＳＶａへ送信する。ＳＵ通信ＩＦ部１３は、ネットワークＮＷを介して管理サーバ装置ＳＶａから通信信号を受信し、この受信した通信信号からデータを取り出し、この取り出したデータをＣＵ制御処理部１２ａが処理可能な形式のデータに変換してＣＵ制御処理部１２ａへ出力する。ＣＵ通信ＩＦ部１３は、例えば、ＩＥＥＥ８０２．１１規格等に従った通信インターフェース回路を備えて構成される。
【００２７】
なお、ＩＤ装置ＲＤａと撮像装置ＣＵａとの間における前記有線通信または無線通信に前記ネットワークＮＷが利用されずに、例えば前記近距離無線通信が利用される場合には、ＣＵ通信ＩＦ部１３は、さらに、前記近距離無線通信に応じた通信インターフェース回路（例えばＢｌｕｅｔｏｏｔｈ（登録商標）規格の通信インターフェース回路）を備えて構成される。
【００２８】
ＣＵ記憶部１４ａは、ＣＵ制御処理部１２ａに接続され、ＣＵ制御処理部１２ａの制御に従って、各種の所定のプログラムおよび各種の所定のデータを記憶する回路である。前記各種の所定のプログラムには、例えば、所定のＣＵ制御処理プログラムが含まれ、前記ＣＵ制御処理プログラムには、例えば、撮像装置ＣＵａの各部１１、１３、１４ａを当該各部の機能に応じてそれぞれ制御するＣＵ制御プログラムや、監視者ＮＳが監視領域（本実施形態では前記居室ＲＭ）に入場（入室）する際にＩＤ装置ＲＤａによって第１特定情報（本実施形態では監視者ＩＤの一例の介護士ＩＤ）を読み取った場合に、自機の第２特定情報（本実施形態ではカメラＩＤ）とＩＤ装置ＲＤａによって読み取った第１特定情報とを互いに紐付けた紐付け情報を生成し、前記生成した紐付け情報を管理サーバ装置ＳＶａへ出力（送信）するＣＵ生成プログラムや、後述のように管理されている前記第１特定情報が有る場合に、撮像開始の指示をカメラ１１へ出力し、前記管理されている前記第１特定情報が無くなった場合に、撮像終了の指示をカメラ１１へ出力する撮像制御プログラム等が含まれる。前記各種の所定のデータには、自機の第２特定情報、管理サーバ装置ＳＶａの通信アドレス、および、撮像対象の領域に対する監視者ＮＳの入出状況を表すＣＵ入出状況情報等の、各プログラムを実行する上で必要なデータ等が含まれる。ＣＵ記憶部１４ａは、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＣＵ記憶部１４ａは、前記所定のプログラムの実行中に生じるデータ等を記憶するいわゆるＣＵ制御処理部１２ａのワーキングメモリとなるＲＡＭ（Ｒａｎｄｏｍ  Ａｃｃｅｓｓ  Ｍｅｍｏｒｙ）等を含む。そして、ＣＵ記憶部１４ａは、前記ＣＵ入出状況情報を記憶する撮像側入出状況情報記憶部（ＣＵ入出状況情報記憶部）１４１ａを機能的に備える。
【００２９】
ＣＵ入出状況情報記憶部１４１ａは、監視領域に対する監視者ＮＳの入出状況を表す前記ＣＵ入出状況情報を記憶するものである。本実施形態では、ＣＵ入出状況情報は、前記第１特定情報、本実施形態では、監視者ＩＤの一例である介護士ＩＤの記憶の有り無しによって、監視領域に対する介護士ＮＳの入出状況を表す。より具体的には、ＣＵ入出状況情報記憶部１４１ａは、後述の図７に示すように、介護士ＩＤを登録する介護士ＩＤフィールド１４１１を備え、介護士ＩＤごとにレコードを持つ撮像側入出状況情報テーブル（ＣＵ入出状況情報テーブル）ＭＴａを記憶する。ＩＤ装置ＲＤａから介護士ＩＤが通知された場合に、この通知された介護士ＩＤがＣＵ入出状況情報テーブルＭＴａの介護士ＩＤフィールド１４１１に登録されていない場合には、新たなレコードが生成され、この新たに生成されたレコードの介護士ＩＤフィールド１４１１に前記通知された介護士ＩＤが登録される。これによって監視領域に介護士ＩＤを持つ介護士ＮＳが入場（入室、在室）した状況がＣＵ入出状況情報記憶部１４１ａに記憶される。一方、ＩＤ装置ＲＤａから介護士ＩＤが通知された場合に、この通知された介護士ＩＤがＣＵ入出状況情報テーブルＭＴａの介護士ＩＤフィールド１４１１に既に登録されている場合には、前記通知された介護士ＩＤを登録するレコードが削除される（介護士ＩＤフィールド１４１１から介護士ＩＤが消去される）。これによって監視領域から介護士ＩＤを持つ介護士ＮＳが退場（退室、不在）した状況がＣＵ入出状況情報記憶部１４１ａに記憶される。
【００３０】
ＣＵ制御処理部１２ａは、撮像装置ＣＵａの各部１１、１３、１４ａを当該各部の機能に応じてそれぞれ制御し、前記監視領域の画像を生成し、この生成した画像を、管理サーバ装置ＳＶａへ通知するための回路である。そして、ＣＵ制御処理部１２ａは、監視領域に対する監視者ＮＳの入出状況を管理し、前記生成した画像を管理サーバ装置ＳＶａへ通知する際に、ＣＵ記憶部１４ａに予め記憶された自機の第２特定情報（本実施形態ではカメラＩＤ）と共に、前記生成した画像を管理サーバ装置ＳＶａへ通知する。ＣＵ制御処理部１２ａは、例えば、ＣＰＵ（Ｃｅｎｔｒａｌ  Ｐｒｏｃｅｓｓｉｎｇ  Ｕｎｉｔ）およびその周辺回路を備えて構成される。ＣＵ制御処理部１２ａは、前記ＣＵ制御処理プログラムが実行されることによって、撮像側制御部（ＣＵ制御部）１２１、撮像側生成部（ＣＵ生成部）１２２ａおよび撮像制御部１２３を機能的に備える。
【００３１】
ＣＵ制御部１２１は、撮像装置ＣＵａの各部１１、１３、１４ａを当該各部の機能に応じてそれぞれ制御し、撮像装置ＣＵａの全体制御を司るものである。ＣＵ制御部１２１は、年月日時分秒で計時する。
【００３２】
ＣＵ生成部１２２ａは、監視者ＮＳが監視領域（本実施形態では前記居室ＲＭ）に入場（入室）する際にＩＤ装置ＲＤａによって第１特定情報（本実施形態では介護士ＩＤ）を読み取った場合に、自機の第２特定情報（本実施形態ではカメラＩＤ）とＩＤ装置ＲＤａによって読み取った第１特定情報とを互いに紐付けた紐付け情報を生成し、前記生成した紐付け情報を管理サーバ装置ＳＶａへ出力（送信）するものである。
【００３３】
本実施形態では、ＣＵ生成部１２２ａは、監視領域に対する監視者ＮＳの入出状況を管理するための撮像側管理処理部（ＣＵ管理処理部）１２２１ａと、紐付け情報を生成して送信するための通知処理部１２２２とを機能的に備える。
【００３４】
ＣＵ管理処理部１２２１ａは、ＩＤ装置ＲＤａで読み取った前記第１特定情報（本実施形態では介護士ＩＤ）を管理するものである。本実施形態では、カメラ１１による撮像の開始および終了を撮像制御部１２３によって制御するために、ＣＵ管理処理部１２２１ａは、さらに、既に管理している前記第１特定情報がＩＤ装置ＲＤａでさらに読み取った場合に、前記既に管理している前記第１特定情報の管理を解除する。より具体的には、ＣＵ管理処理部１２２１ａは、ＩＤ装置ＲＤａで読み取ってＩＤ装置ＲＤａから介護士ＩＤが通知された場合に、この通知された介護士ＩＤが、ＣＵ入出状況情報記憶部１４１ａに記憶されているＣＵ入出状況情報テーブルＭＴａの介護士ＩＤフィールド１４１１に登録されていない場合には、新たなレコードを生成し、この新たに生成したレコードの介護士ＩＤフィールド１４１１に前記通知された介護士ＩＤを登録する。一方、ＣＵ管理処理部１２２１ａは、ＩＤ装置ＲＤａで読み取ってＩＤ装置ＲＤａから介護士ＩＤが通知された場合に、この通知された介護士ＩＤが、ＣＵ入出状況情報記憶部１４１ａに記憶されているＣＵ入出状況情報テーブルＭＴａの介護士ＩＤフィールド１４１１に登録されている場合には、前記通知された介護士ＩＤを登録するレコードを削除する。このようにＣＵ管理処理部１２２１ａは、介護士ＩＤの記憶の有り無しによって、監視領域に対する監視者ＮＳの一例である介護士ＮＳの入出状況を管理する。
【００３５】
通知処理部１２２２は、ＣＵ管理処理部１２２１ａによる管理結果に応じて紐付け情報を生成し、この生成した紐付け情報を管理サーバ装置ＳＶａへ通知（送信）するものである。より具体的には、通知処理部１２２２は、上述のようにＣＵ入出状況情報テーブルＭＴａに新たなレコードを生成して介護士ＩＤフィールド１４１１に前記通知された介護士ＩＤを登録した場合には、介護士ＮＳが監視領域に入場したと判断し、自機のカメラＩＤとＩＤ装置ＲＤａで読み取ってＩＤ装置ＲＤａから通知された介護士ＩＤとを互いに紐付けた紐付け情報を生成し、この生成した紐付け情報、および、撮像開始時刻としての現在の時刻を収容した通信信号（紐付け情報通知通信信号）を管理サーバ装置ＳＶａ宛に生成し、この生成した紐付け情報通知通信信号をＣＵ通信ＩＦ１３で管理サーバ装置ＳＶａへ送信する。
【００３６】
撮像制御部１２３は、上述のようにＣＵ生成部１２２ａによって管理されている入出状況の管理結果に基づいて撮像開始および撮像終了の各指示をカメラ１１へ出力するものである。より具体的には、撮像制御部１２３は、ＣＵ生成部１２２ａのＣＵ管理処理部１２２１ａで管理されている前記第１特定情報（本実施形態では介護士ＩＤ）が有る場合に、撮像を開始させる撮像開始の指示をカメラ１１へ出力し、前記管理されている前記第１特定情報が無くなった場合に、撮像を終了させる撮像終了の指示をカメラ１１へ出力する。
【００３７】
カメラ１１は、上述のように撮像制御部１２３から前記撮像開始の指示を受けると、撮像を開始し、この撮像によって生成した画像をＣＵ制御処理部１２ａへ出力し、ＣＵ制御処理部１２ａは、この画像をＣＵ記憶部１４ａに一時的に記憶する。一方、カメラ１１は、撮像制御部１２３から前記撮像終了の指示を受けると、撮像を終了する。撮像が終了すると、ＣＵ制御処理部１２ａは、ＣＵ記憶部１４ａに一時的に記憶した前記画像を管理サーバ装置ＳＶａへ送信する。より具体的には、ＣＵ制御処理部１２ａは、ＣＵ記憶部１４ａに一時的に記憶した前記画像（画像データ）、自機のカメラＩＤ、および、撮像終了時刻としての現在の時刻を収容した通信信号（画像通知通信信号）を管理サーバ装置ＳＶａ宛に生成し、この生成した画像通知通信信号をＣＵ通信ＩＦ１３で管理サーバ装置ＳＶａへ送信する。ＣＵ制御処理部１２ａは、ＣＵ記憶部１４ａに一時的に記憶した前記画像を管理サーバ装置ＳＶａへ送信すると、前記画像をＣＵ記憶部１４ａから削除（消去）する。
【００３８】
なお、上述では、撮像装置ＣＵａは、撮像制御部１２３によって、撮像対象の領域に対する監視者ＮＳの入出状況を管理し、この入出状況の管理結果に基づいて撮像開始および撮像終了の各指示をカメラ１１へ出力したが、撮像装置ＣＵａは、撮像制御部１２３を備えずに、ＣＵ制御部１２１によって、ＩＤ装置ＲＤａで前記一方の特定情報を読み取った場合（本実施形態ではＩＤ装置ＲＤａから介護士ＩＤが通知された場合）に、カメラ１１で撮像を開始し、予め設定された所定の時間（例えば３分、５分および１０分等）の経過後、自動的に前記撮像を終了し、前記画像通知通信信号を管理サーバ装置ＳＶａへ送信しても良い。
【００３９】
図１には、一例として、第１ないし第３撮像装置ＣＵａ−１〜ＣＵａ−３が示されており、第１撮像装置ＣＵａ−１は、第１ＩＤ装置ＲＤａ−１と共に、被監視者Ｏｂの一人であるＡさんＯｂ−１の居室ＲＭ−１（不図示）に配設され、第２撮像装置ＣＵａ−２は、第２ＩＤ装置ＲＤａ−２と共に、被監視者Ｏｂの一人であるＢさんＯｂ−２の居室ＲＭ−２（不図示）に配設され、そして、第３撮像装置ＣＵａ−３は、第３ＩＤ装置ＲＤａ−３と共に、被監視者Ｏｂの一人であるＣさんＯｂ−３の居室ＲＭ−３（不図示）に配設されている。
【００４０】
なお、撮像装置ＣＵａは、第１実施形態では、前記監視領域に対応して設けられ、前記監視領域の画像を生成する撮像部の一例に相当する。ＣＵ生成部１２２ａは、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する第１生成部の一例に相当する。
【００４１】
携帯端末装置ＴＡａは、ネットワークＮＷを介して管理サーバ装置ＳＶａと通信する通信機能、所定の情報を表示する表示機能、所定の指示やデータを入力する入力機能、および、音声通話を行う通話機能等を備え、管理サーバ装置ＳＶａから受信したデータを表示したり、内線電話したり、外線電話したり等するための機器である。そして、本実施形態では、携帯端末装置ＴＡａは、前記第１特定情報（本実施形態では監視者ＩＤの一例である介護士ＩＤ）を記憶し、この前記第１特定情報をＩＤ装置ＲＤａに読み取らせ、前記第２特定情報（本実施形態ではカメラＩＤ）の入力を受け付け、監視記録情報の入力を受け付けた場合に、前記受け付けた第２特定情報と前記受け付けた監視記録情報とを互いに紐付けて紐付け監視記録情報を生成し、この生成した紐付け監視記録情報を管理サーバ装置ＳＶａへ出力（送信）する。このような携帯端末装置ＴＡａは、本実施形態では、例えば、図５に示すように、端末側通信インターフェース部（ＴＡ通信ＩＦ部）３１と、端末側制御処理部（ＴＡ制御処理部）３２ａと、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００４２】
ＴＡ音入出力部３４は、ＴＡ制御処理部３２ａに接続され、外部の音を取得して携帯端末装置ＴＡａに入力するための回路であって、ＴＡ制御処理部３２ａの制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２ａへ出力し、また、ＴＡ制御処理部３２ａから入力された電気信号を音の機械振動信号に変換して出力する。
【００４３】
ＴＡ入力部３５は、ＴＡ制御処理部３２ａに接続され、例えば、所定の操作を受け付け、携帯端末装置ＴＡａに入力する回路であり、例えば、所定の機能を割り付けられた複数の入力スイッチ等である。ＴＡ表示部３６は、ＴＡ制御処理部３２ａに接続され、ＴＡ制御処理部３２ａの制御に従って、ＴＡ入力部３５から入力された所定の操作内容や、管理サーバ装置ＳＶａから受信したデータ等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等の監視者（ユーザ）ＮＳが、入力したい入力内容を表示した表示位置を触れると、位置入力デバイスによってその位置が検出され、検出された位置に表示された表示内容が監視者ＮＳの操作入力内容として携帯端末装置ＴＡａに入力される。
【００４４】
ＴＡＩＦ部３７は、ＴＡ制御処理部３２ａに接続され、ＴＡ制御処理部３２ａの制御に従って、外部機器との間でデータの入出力を行う回路である。ＴＡＩＦ部３７は、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００４５】
ＴＡ通信ＩＦ部３１は、ＣＵ通信ＩＦ部１３と同様に、ＴＡ制御処理部３２ａに接続され、ＴＡ制御処理部３２ａの制御に従って通信を行うための通信回路である。ＴＡ通信ＩＦ部３１は、例えば、ＩＥＥＥ８０２．１１規格等に従った通信インターフェース回路を備えて構成される。
【００４６】
ＴＡ記憶部３３ａは、ＴＡ制御処理部３２ａに接続され、ＴＡ制御処理部３２ａの制御に従って、各種の所定のプログラムおよび各種の所定のデータを記憶する回路である。前記各種の所定のプログラムには、例えば、所定のＴＡ制御処理プログラムが含まれ、前記ＴＡ制御処理プログラムには、例えば、携帯端末装置ＴＡａの各部３１、３３ａ、３４〜３７を当該各部の機能に応じてそれぞれ制御するＴＡ制御プログラムや、前記第１特定情報（本実施形態では介護士ＩＤ）をＩＤ装置ＲＤａへ出力する介護士ＩＤ情報出力処理プログラムや、前記第２特定情報（本実施形態ではカメラＩＤ）の入力を受け付け、監視記録情報の入力を受け付けた場合に、前記受け付けた第２特定情報と前記受け付けた監視記録情報とを互いに紐付けて紐付け監視記録情報を生成し、前記生成した紐付け監視記録情報を管理サーバ装置ＳＶａへ出力するＴＡ生成プログラム等の制御処理プログラムが含まれる。前記各種の所定のデータでは、自機の前記第１特定情報（本実施形態では介護士ＩＤ）や、管理サーバ装置ＳＶａの通信アドレス等の各プログラムを実行する上で必要なデータ等が含まれる。ＴＡ記憶部３３ａは、例えばＲＯＭやＥＥＰＲＯＭやＲＡＭ等を備える。前記第１特定情報（本実施形態では介護士ＩＤ）を記憶するために、ＴＡ記憶部３３ａは、介護士ＩＤ情報記憶部３３１を機能的に備える。
【００４７】
介護士ＩＤ情報記憶部３３１は、監視者ＮＳを特定する第１特定情報、本実施形態では介護士ＩＤを記憶するものである。介護士ＩＤは、例えば、予め携帯端末装置ＴＡａに登録されて介護士ＩＤ情報記憶部３３１に記憶されて良く、あるいは、例えば、ログインの際にＴＡ入力部３５から入力され、介護士ＩＤ情報記憶部３３１に記憶されて良い。
【００４８】
ＴＡ制御処理部３２ａは、携帯端末装置ＴＡａの各部３１、３３ａ、３４〜３７を当該各部の機能に応じてそれぞれ制御するための回路である。そして、第１実施形態では、ＴＡ制御処理部３２ａは、第１特定情報をＩＤ装置ＲＤａに読み取らせる。ＴＡ制御処理部３２ａは、例えば、ＣＰＵおよびその周辺回路を備えて構成される。ＴＡ制御処理部３２ａは、ＴＡ制御処理プログラムが実行されることによって、端末側制御部（ＴＡ制御部）３２１、介護士ＩＤ情報出力処理部３２２および端末側生成部（ＴＡ生成部）３２３を機能的に備える。
【００４９】
ＴＡ制御部３２１は、携帯端末装置ＴＡａの各部３１、３３ａ、３４〜３７を当該各部の機能に応じてそれぞれ制御し、携帯端末装置ＴＡａの全体制御を司るものである。ＴＡ制御部３２１は、年月日時分秒で計時する。
【００５０】
介護士ＩＤ情報出力処理部３２５は、前記第１特定情報として、介護士ＩＤ情報記憶部３３１に記憶されている介護士ＩＤを、ＩＤ装置ＲＤａへＴＡＩＦ部３７で出力するものである。
【００５１】
ＴＡ生成部３２３は、ＴＡ入力部３５から前記第２特定情報（本実施形態ではカメラＩＤ）の入力を受け付け、ＴＡ入力部３５から監視記録情報の入力を受け付けた場合に、前記受け付けた第２特定情報と前記受け付けた監視記録情報とを互いに紐付けて紐付け監視記録情報を生成し、この生成した紐付け監視記録情報を管理サーバ装置ＳＶａへ出力（送信）するものである。前記監視記録情報は、監視者ＮＳによる監視の内容を表す情報であり、被監視者Ｏｂおよび監視者ＮＳ等に応じて決定される。例えば、本実施形態では、被監視者Ｏｂが被介護者Ｏｂであり、監視者ＮＳが介護者ＮＳであるので、前記監視記録情報は、介護の内容を表す介護記録情報である。この介護記録情報には、例えば、入力時刻（作成時刻）、被介護者Ｏｂを特定するための例えば被介護者名、介護の種別（例えばバイタルチェック、着替え介助、食事介助（朝食介助、昼食介助、夕食介助）、排泄介助、入浴介助等）、前記介護の種別に応じた具体的な介護の内容、および、介護者ＮＳを特定するための例えば介護者名等である。また例えば、被監視者Ｏｂが患者Ｏｂであり、監視者ＮＳが看護師ＮＳである場合では、前記監視記録情報は、看護の内容を表す看護記録情報である。この看護記録情報には、例えば、入力時刻（作成時刻）、患者Ｏｂを特定するための例えば患者名、看護の種別（例えば採血、バイタルチェック、清拭、服薬、点滴、検査移動、体位変換等）、前記看護の種別に応じた具体的な看護の内容、および、看護師ＮＳを特定するための例えば看護師名等である。より具体的には、本実施形態では、例えば、ＴＡ生成部３２３は、まず、前記各種の所定のデータの一つとしてＴＡ記憶部３３ａに予め記憶された介護記録情報入力画面をＴＡ表示部３６に表示する。前記介護記録情報入力画面は、前記第２特定情報としてのカメラＩＤを入力するためのカメラＩＤ入力欄、および、介護記録情報を入力するための介護記録情報入力欄を備える。介護士ＮＳは、タッチパネルを構成するＴＡ表示部３６に表示された介護記録情報入力画面を用い、前記タッチパネルを構成するＴＡ入力部３５から、カメラＩＤおよび介護記録情報を入力する。カメラＩＤおよび介護記録情報の入力を受け付けると、ＴＡ生成部３２３は、現在の時刻を前記入力時刻（作成時刻）として前記介護記録情報に含ませ、前記紐付け監視記録情報として、前記受け付けたカメラＩＤと介護記録情報とを互いに紐付けた紐付け介護記録情報を生成し、この生成した紐付け介護記録情報を収容した通信信号（紐付け介護記録通情報知通信信号、紐付け監視記録情報通信信号の一例）を管理サーバ装置ＳＶａ宛に生成し、この生成した紐付け介護記録情報通知通信信号をＣＵ通信ＩＦ１３で管理サーバ装置ＳＶａへ送信する。
【００５２】
このような携帯端末装置ＴＡａは、例えば、いわゆるタブレット型コンピュータやスマートフォンや携帯電話機等の、持ち運び可能な通信端末装置によって構成可能である。
【００５３】
なお、ＴＡ生成部３２３は、第１実施形態では、前記第２特定情報の入力を受け付け、監視記録情報の入力を受け付けた場合に、前記受け付けた第２特定情報と前記受け付けた監視記録情報とを互いに紐付けて紐付け監視記録情報を生成し、前記生成した紐付け監視記録情報を前記画像記憶処理部へ出力する第２生成部の一例に相当する。
【００５４】
管理サーバ装置ＳＶａは、ネットワークＮＷを介して他の装置ＣＵａ、ＴＡａと通信する通信機能を備え、撮像装置ＣＵａから画像を受信すると、前記画像を記憶して管理し、クライアント（本実施形態では携帯端末装置ＴＡａ等）の要求に応じたデータを前記クライアントに提供し、被監視者監視支援システムＭＳａ全体を管理する装置である。そして、本実施形態では、管理サーバ装置ＳＶａは、前記画像を記憶する際に、前記画像と共に撮像装置ＣＵａから受信した前記第２特定情報、前記撮像装置ＣＵａから受信した紐付け情報、および、携帯端末装置ＴＡａから受信した紐付け監視記録情報に基づいて、前記画像を監視記録情報および前記第１特定情報に紐付けて記憶する。このような管理サーバ装置ＳＶａは、例えば、図３に示すように、サーバ側通信インターフェース部（ＳＶ通信ＩＦ部）２１と、サーバ側制御処理部（ＳＶ制御処理部）２２ａと、サーバ側記憶部（ＳＶ記憶部）２３ａと、サーバ側入力部（ＳＶ入力部）２４と、サーバ側出力部（ＳＶ出力部）２５と、サーバ側インターフェース部（ＳＶＩＤ部）２６とを備える。
【００５５】
ＳＶ通信ＩＦ部２１は、ＣＵ通信ＩＦ部１３と同様に、ＳＶ制御処理部２２ａに接続され、ＳＶ制御処理部２２ａの制御に従って通信を行うための通信回路である。ＳＶ通信ＩＦ部２１は、例えば、ＩＥＥＥ８０２．１１規格等に従った通信インターフェース回路を備えて構成される。
【００５６】
ＳＶ入力部２４は、ＳＶ制御処理部２２ａに接続され、例えば、画像を検索する検索キーや前記検索キーに該当する画像の表示を指示するコマンド等の各種コマンド、および、例えばネットワークＮＷを介して撮像装置ＣＵａに設定するカメラＩＤ等の、被監視者監視支援システムＭＳａを作動する上で必要な各種データを管理サーバ装置ＳＶａに入力する装置であり、例えば、所定の機能を割り付けられた複数の入力スイッチ、キーボードおよびマウス等である。
【００５７】
ＳＶ出力部２５は、ＳＶ制御処理部２２ａに接続され、ＳＶ制御処理部２２ａの制御に従って、ＳＶ入力部２４から入力されたコマンドやデータや、前記検索キーに該当する画像等を出力する装置であり、例えばＣＲＴディスプレイ、ＬＣＤ（液晶表示装置）および有機ＥＬディスプレイ等の表示装置である。
【００５８】
ＳＶＩＦ部２６は、ＳＶ制御処理部２２ａに接続され、ＳＶ制御処理部２２ａの制御に従って、外部の機器との間でデータを入出力する回路である。ＳＶＩＦ部２６は、例えば、シリアル通信方式であるＲＳ−２３２Ｃのインターフェース回路、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００５９】
ＳＶ記憶部２３ａは、ＳＶ制御処理部２２ａに接続され、ＳＶ制御処理部２２ａの制御に従って、各種の所定のプログラムおよび各種の所定のデータを記憶する回路である。前記各種の所定のプログラムには、例えば、所定のＳＶ制御処理プログラムが含まれ、前記ＳＶ制御処理プログラムには、例えば、管理サーバ装置ＳＶａの各部２１、２３ａ、２４〜２６を当該各部の機能に応じてそれぞれ制御するＳＶ制御プログラムや、撮像装置ＣＵａで生成された画像、および、携帯端末装置ＴＡａに入力された監視記録情報（本実施形態では介護記録情報）を後述の画像介護記録記憶部２３１ａに記憶させる画像介護記録記憶処理プログラム等が含まれる。前記各種の所定のデータには、自機の、管理サーバ装置ＳＶａを特定し管理サーバ装置ＳＶａを識別するためのサーバ識別子（サーバＩＤ）や、撮像装置ＣＵａで生成され受信した前記画像（画像データ）や、携帯端末装置ＴＡａに入力され受信した監視記録情報（本実施形態では介護記録情報）等の各プログラムを実行する上で必要なデータ等が含まれる。ＳＶ記憶部２３ａは、例えばＲＯＭやＥＥＰＲＯＭやＲＡＭ等を備える。なお、ＳＶ記憶部２３ａは、必要に応じて比較的大容量のハードディスク装置（ＨＤＤ）をさらに備えても良い。そして、前記画像および前記介護記録情報を記憶するために、ＳＶ記憶部２３ａは、画像介護記録情報記憶部２３１ａを機能的に備える。
【００６０】
画像介護記録記憶部２３１ａは、撮像装置ＣＵａからの画像を、監視記録情報（本実施形態では介護記録情報）と第１特定情報（本実施形態では介護士ＩＤ）とに紐付けて記憶するものである。より具体的には、本実施形態では、前記画像通知通信信号に収容された前記画像（画像データ）は、自動的に割り振られたファイル名（画像ファイル名）を付して画像介護記録記憶部２３１ａに記憶され、前記画像の画像ファイル名と介護士ＩＤとが互いに紐付けられ、互いに紐付けられた前記画像および介護士ＩＤは、テーブル形式で画像介護記録記憶部２３１ａに記憶される。そして、前記紐付き介護記録情報通知通信信号に収容された介護記録情報は、前記画像の画像ファイル名に紐付けられてテーブル形式で画像介護記録記憶部２３１ａに記憶される。これら互いに紐付けられた前記画像、介護記録情報および介護士ＩＤを登録する画像介護記録情報テーブルＰＴは、例えば、図４に示すように、前記介護記録情報を登録する介護記録フィールド３２１１と、介護士ＩＤを登録する介護士ＩＤフィールド２３１２と、前記画像ファイル名を登録する画像ファイル名フィールド２３１３と、前記画像ファイル名フィールド２３１３に登録された画像ファイル名を持つ画像の撮像開始時刻および撮像終了時刻それぞれを登録する撮像開始時刻フィールド２３１４および撮像終了時刻フィールド２３１５と、メモを登録するメモフィールド２３１６とを備え、画像ファイル名ごと（画像ごと）にレコードを持つ。介護記録フィールド２３１１は、介護の種別を登録する介護種別サブフィールド２３１１１と、介護記録情報の入力時刻を登録する入力時刻サブフィールド２３１１２と、具体的な介護の内容を登録する介護内容サブフィールド２３１１３とを備える。そして、このような画像介護記録情報テーブルＰＴ（ＰＴ−ＳＵ１、ＰＴ−ＳＵ２、ＰＴ−ＳＵ３、・・・）は、各撮像装置ＣＵａごと（各監視領域の各居室ＲＭごと）に用意され、各撮像装置ＣＵａの各カメラＩＤそれぞれに対応付けられている。図４には、第１撮像装置ＣＵａ−１のカメラＩＤ；「ＣＵ−１」に対応付けられた画像介護記録情報テーブルＰＴ−１が一例として示されている。
【００６１】
ＳＶ制御処理部２２ａは、管理サーバ装置ＳＶａの各部２１、２３ａ、２４〜２６を当該各部の機能に応じてそれぞれ制御し、撮像装置ＣＵａから画像を受信すると、前記画像を記憶して管理し、クライアント（本実施形態では携帯端末装置ＴＡａ等）の要求に応じたデータを前記クライアントに提供し、被監視者監視支援システムＭＳａ全体を管理するための回路である。そして、本実施形態では、ＳＶ制御処理部２２ａは、前記画像を記憶する際に、前記画像と共に撮像装置ＣＵａから受信した前記第２特定情報、前記撮像装置ＣＵａから受信した紐付け情報、および、携帯端末装置ＴＡａから受信した紐付け監視記録情報に基づいて、前記画像を監視記録情報および前記第１特定情報に紐付けて記憶する。ＳＶ制御処理部２２ａは、例えば、ＣＰＵおよびその周辺回路を備えて構成される。ＳＶ制御処理部２２ａは、前記ＳＶ制御処理プログラムが実行されることによって、サーバ側制御部（ＳＶ制御部）２２１および画像介護記録記憶処理部２２２ａを機能的に備える。
【００６２】
ＳＶ制御部２２１は、管理サーバ装置ＳＶａの各部２１、２３ａ、２４〜２６を当該各部の機能に応じてそれぞれ制御し、管理サーバ装置ＳＶａの全体制御を司るものである。ＳＶ制御部２２１は、年月日時分秒で計時する。
【００６３】
画像介護記録記憶処理部２２２ａは、撮像装置ＣＵａで生成された画像を画像介護記録記憶部２３１ａに記憶させるものである。画像介護記録記憶処理部２２２ａは、前記画像を記憶する際に、前記画像と共に撮像装置ＣＵａから受信した前記第２特定情報（本実施形態ではカメラＩＤ）、撮像装置ＣＵａから受信した紐付け情報、および、携帯端末装置ＴＡａから受信した紐付け監視記録情報（本実施形態では紐付け介護記録情報）に基づいて、前記画像を、前記監視記録情報（本実施形態では介護記録情報）と前記第１特定情報（本実施形態では介護士ＩＤ）とに紐付けて画像介護記録記憶部２３１ａに記憶する。
【００６４】
より具体的には、画像介護記録記憶処理部２２２ａは、まず、撮像装置ＣＵａから紐付け情報通知通信信号を受信した場合に、前記受信した入場の紐付け情報通知通信信号に収容された紐付け情報および撮像開始時刻をＳＶ記憶部２３ａに一時的に仮に記憶する。画像介護記録記憶処理部２２２ａは、撮像装置ＣＵａから画像通知通信信号を受信した場合に、この受信した画像通知通信信号に収容された画像（画像データ）を、画像ファイル名を付して画像介護記録記憶部２３１ａに記憶し、この画像ファイル名、ならびに、画像通知通信信号に収容されたカメラＩＤおよび撮像終了時刻を、ＳＶ記憶部２３ａに一時的に仮に記憶する。前記画像ファイル名は、任意であって良いが、例えば、画像介護記録記憶部２３１ａに記憶する順に００００１から割り振られたシリアル番号である。画像介護記録記憶処理部２２２ａは、携帯端末装置ＴＡａから紐付け介護記録通知通信信号を受信した場合に、前記受信した紐付け介護記録情報通知通信信号に収容された紐付け介護記録情報をＳＶ記憶部２３ａに一時的に仮に記憶する。
【００６５】
そして、画像通知通信信号の受信より前に紐付け介護記録通知通信信号を受信している場合には、画像介護記録記憶処理部２２２ａは、ＳＶ記憶部２３ａに一時的に仮に記憶されている各紐付け情報の各カメラＩＤの中から、前記受信した画像通知通信信号に収容されたカメラＩＤと一致するカメラＩＤを選定（検索）し、この選定したカメラＩＤを持つ紐付け情報の介護士ＩＤおよび前記撮像開始時刻と、前記受信した画像通知通信信号に収容された前記画像（前記画像ファイル名）および撮像終了時刻と、を紐付け、さらに、ＳＶ記憶部２３ａに一時的に仮に記憶されている各紐付け介護記録情報の各カメラＩＤの中から、前記受信した画像通知通信信号に収容されたカメラＩＤと一致するカメラＩＤを選定（検索）し、この選定したカメラＩＤを持つ紐付け介護記録情報における介護記録情報と、前記受信した画像通知通信信号に収容された前記画像（前記画像ファイル名）と、を紐付ける。このような紐付け処理が終了すると、画像介護記録記憶処理部２２２ａは、画像介護記録記憶部２３１ａに記憶され、かつ、前記受信した画像通知通信信号に収容されたカメラＩＤに対応する画像介護記録情報テーブルＰＴに新たなレコードを生成し、この生成したレコードにおける介護記録フィールド２３１１、介護士ＩＤフィールド２３１２、画像ファイル名フィールド２３１３、撮像開始時刻フィールド２３１４および撮像終了時刻フィールド２３１５それぞれに、前記紐付けた、介護記録情報（前記紐付け介護記録情報通知通信信号に収容された紐付け介護記録情報の介護記録情報）、介護士ＩＤ（前記紐付け情報通知通信信号に収容された紐付け情報の介護士ＩＤ）、前記画像ファイル名（前記画像通知通信信号に収容された画像に付された画像ファイル名）、前記撮像開始時刻（前記紐付け情報通知通信信号に収容された時刻）、および、前記撮像終了時刻（前記画像通知通信信号に収容された時刻）それぞれを登録する。そして、画像介護記録記憶処理部２２２ａは、これら登録した、ＳＶ記憶部２３ａに一時的に仮に記憶されている前記紐付け情報、前記撮像開始時刻、前記画像ファイル名、前記カメラＩＤ、前記撮像終了時刻、前記紐付け介護記録情報を消去（削除）する。
【００６６】
一方、紐付け介護記録通知通信信号の受信より前に画像通知通信信号を受信している場合には、画像介護記録記憶処理部２２２ａは、ＳＶ記憶部２３ａに一時的に仮に記憶されている各画像ファイル名と共に記憶されている各カメラＩＤの中から、前記受信した紐付け介護記録通知通信信号に収容された紐付け介護記録情報のカメラＩＤと一致するカメラＩＤを選定（検索）し、この選定したカメラＩＤと共に記憶されている画像ファイル名および撮像終了時刻と、前記受信した紐付け介護記録通知通信信号に収容された紐付け介護記録情報の介護記録情報とを紐付け、さらに、ＳＶ記憶部２３ａに一時的に仮に記憶されている各紐付け情報の各カメラＩＤの中から、前記受信した紐付け介護記録通知通信信号に収容された紐付け介護記録情報のカメラＩＤと一致するカメラＩＤを選定（検索）し、この選定したカメラＩＤを持つ紐付け情報の介護士ＩＤおよび前記撮像開始時刻と、前記紐付けた前記画像ファイル名と、を紐付ける。このような紐付け処理が終了すると、画像介護記録記憶処理部２２２ａは、画像介護記録記憶部２３１ａに記憶され、かつ、前記受信した紐付け介護記録情報通知通信信号に収容された紐付け介護記録情報のカメラＩＤに対応する画像介護記録情報テーブルＰＴに新たなレコードを生成し、この生成したレコードにおける介護記録フィールド２３１１、介護士ＩＤフィールド２３１２、画像ファイル名フィールド２３１３、撮像開始時刻フィールド２３１４および撮像終了時刻フィールド２３１５それぞれに、前記紐付けた、介護記録情報（前記紐付け介護記録情報通知通信信号に収容された紐付け介護記録情報の介護記録情報）、介護士ＩＤ（前記紐付け情報通知通信信号に収容された紐付け情報の介護士ＩＤ）、前記画像ファイル名（前記画像通知通信信号に収容された画像に付された画像ファイル名）、前記撮像開始時刻（前記紐付け情報通知通信信号に収容された時刻）、および、前記撮像終了時刻（前記画像通知通信信号に収容された時刻）それぞれを登録する。そして、画像介護記録記憶処理部２２２ａは、これら登録した、ＳＶ記憶部２３ａに一時的に仮に記憶されている前記紐付け情報、前記撮像開始時刻、前記画像ファイル名、前記カメラＩＤ、前記撮像終了時刻、前記紐付け介護記録情報を消去（削除）する。
【００６７】
このような管理サーバ装置ＳＶａは、例えば、通信機能付きのコンピュータによって構成可能である。
【００６８】
なお、画像介護記録記憶処理部２２２ａは、第１実施形態では、前記撮像部で生成された画像を前記画像記憶部に記憶させる画像記憶処理部の一例に相当する。画像介護記録記憶部２３１ａは、前記撮像部で生成された画像を記憶する画像記憶部の一例に相当する。
【００６９】
次に、本実施形態の動作について説明する。図６は、一例として、前記被監視者監視支援システムにおける画像と介護との記録に関する第１実施形態の動作を示すシーケンス図である。図７は、図６に示す動作におけるＣＵ入出状況情報テーブルの変遷を説明するための図である。図７には、紙面左側から紙面右側へ順に、時刻ｔ１１、時刻ｔ１２および時刻ｔ１３それぞれの各ＣＵ入出状況情報テーブルＭＴａ−ｔ１１、ＭＴａ−ｔ１２、ＭＴａ−ｔ１３が示されている。
【００７０】
上記構成の被監視者監視支援システムＭＳａでは、各装置ＣＵａ、ＲＤａ、ＳＶａ、ＴＡａは、電源が投入されると、必要な各部の初期化を実行し、その稼働を始める。撮像装置ＣＵａでは、そのＣＵ制御処理プログラムの実行によって、ＣＵ制御処理部１２ａには、ＣＵ制御部１２１、ＣＵ生成部１２２ａおよび撮像制御部１２３が機能的に構成される。管理サーバ装置ＳＶａでは、そのＳＶ制御処理プログラムの実行によって、ＳＶ制御処理部２２ａには、ＳＶ制御部２２１および画像介護記録記憶処理部２２２ａが機能的に構成される。そして、携帯端末装置ＴＡａでは、そのＴＡ制御処理プログラムの実行によって、ＴＡ制御処理部３２ａには、ＴＡ制御部３２１、介護士ＩＤ情報出力処理部３２２およびＴＡ生成部３２３が機能的に構成される。
【００７１】
そして、被監視者監視支援システムＭＳａは、次のような画像と介護との記録に関する第１実施形態の動作によって各撮像装置ＣＵａ−１〜ＣＵａ−３から各画像を収集し、各画像を記録（記憶）する。ここで、以下の説明において、一例として、その当初では、例えばログイン操作の際に、介護士ＮＳ−１が携帯する携帯端末装置ＴＡａ−１には、介護士ＩＤ；「ＩＤ−ＮＡ」が入力され、介護士ＩＤ；「ＩＤ−ＮＡ」が予め記憶されているものとする。そして、居室ＲＭ−１には、介護士ＮＳが在室せず、ＣＵ入出状況情報記憶部１４１ａに記憶されているＣＵ入出状況情報テーブルＭＴａ−ｔ１１には、図７の紙面左側に示すように、介護士ＩＤが登録（記憶）されていないものとする。そして、以下では、紐付け介護記録通知通信信号の受信より前に画像通知通信信号を受信している場合について説明するが、画像通知通信信号の受信より前に紐付け介護記録通知通信信号を受信している場合も同様に説明できる。
【００７２】
図６において、例えば所定の介護のために、介護士ＮＳ−１は、被監視者Ｏｂ−１の居室ＲＭ−１（監視領域）に入室（入場）する際に、その携行している携帯端末装置ＴＡａ−１を、前記居室ＲＭ−１に対応して設けられたＩＤ装置ＲＤａ−１に近接させ、介護士ＩＤ（第１特定情報）を読み取らせる読み取り操作を行う（Ｃ１１）。
【００７３】
携帯端末装置ＴＡａ−１とＩＤ装置ＲＤａ−１とは、互いに近接されると、携帯端末装置ＴＡａ−１は、ＴＡ制御処理部３２ａの介護士ＩＤ情報出力処理部３２５によって、ＴＡ記憶部３３ａの介護士ＩＤ情報記憶部３３１に記憶されている介護士ＩＤ；「ＩＤ−ＮＡ」を取り出し、この取り出した介護士ＩＤ；「ＩＤ−ＮＡ」をＴＡＩＦ部３７で送信し（前記介護士ＩＤ；「ＩＤ−ＮＡ」を収容する通信信号をＴＡＩＦ部３７で送信し）、ＩＤ装置ＲＤａ−１は、携帯端末装置ＴＡａ−１から送信された介護士ＩＤ；「ＩＤ−ＮＡ」を受信し、これによって介護士ＩＤを携帯端末装置ＴＡａ−１から読み取る（Ｃ１２）。
【００７４】
続いて、ＩＤ装置ＲＤａ−１は、携帯端末装置ＴＡａ−１から読み取った介護士ＩＤ；「ＩＤ−ＮＡ」を、前記居室ＲＭ−１に設けられた撮像装置ＣＵａ−１へ通知（前記介護士ＩＤ；「ＩＤ−ＮＡ」を収容する通信信号を前記撮像装置ＣＵａ−１へ送信）する（Ｃ１３）。
【００７５】
ＩＤ装置ＲＤａ−１から介護士ＩＤ；「ＩＤ−ＮＡ」の通知を受けると、撮像装置ＣＵａ−１は、前記居室ＲＭ−１に対する介護士ＮＳの入出状況を処理するために、ＣＵ制御処理部１２ａにおけるＣＵ生成部１２２ａのＣＵ管理処理部１２２１ａによって、ＩＤ装置ＲＤａ−１から通知された介護士ＩＤ；「ＩＤ−ＮＡ」を管理する（Ｃ１４）。より具体的には、この通知された介護士ＩＤ；「ＩＤ−ＮＡ」が、ＣＵ入出状況情報記憶部１４１ａに記憶されているＣＵ入出状況情報テーブルＭＴａの介護士ＩＤフィールド１４１１に登録されていない場合には、ＣＵ管理処理部１２２１ａは、新たなレコードを生成し、この新たに生成したレコードの介護士ＩＤフィールド１４１１に前記通知された介護士ＩＤ；「ＩＤ−ＮＡ」を登録する。一方、この通知された介護士ＩＤ；「ＩＤ−ＮＡ」が、ＣＵ入出状況情報記憶部１４１ａに記憶されているＣＵ入出状況情報テーブルＭＴａの介護士ＩＤフィールド１４１１に登録されている場合には、ＣＵ管理処理部１２２１ａは、前記通知された介護士ＩＤ；「ＩＤ−ＮＡ」を登録するレコードを削除する（介護士ＩＤフィールド１４１１から介護士ＩＤを消去する）。
【００７６】
図７に示す例では、ＩＤ装置ＲＤａ−１から介護士ＩＤ；「ＩＤ−ＮＡ」の通知を受けると、この通知された介護士ＩＤ；「ＩＤ−ＮＡ」が、ＣＵ入出状況情報記憶部１４１ａに記憶されているＣＵ入出状況情報テーブルＭＴａ−ｔ１１の介護士ＩＤフィールド１４１１に登録されていないので、ＣＵ管理処理部１２２１ａは、新たなレコードを生成し、この新たに生成したレコードの介護士ＩＤフィールド１４１１に前記通知された介護士ＩＤ；「ＩＤ−ＮＡ」を登録する。これによって図７の紙面左側に示すＣＵ入出状況情報テーブルＭＴａ−ｔ１１からその紙面中央に示すＣＵ入出状況情報テーブルＭＴａ−ｔ１２となり、ＣＵ入出状況情報記憶部１４１ａには、介護士ＩＤ；「ＩＤ−ＮＡ」を登録したＣＵ入出状況情報テーブルＭＴａ−ｔ１２が記憶される。
【００７７】
続いて、ＣＵ管理処理部１２２１ａで管理されているＣＵ入出状況情報テーブルＭＴａ−ｔ１２に、介護士ＩＤ；「ＩＤ−ＮＡ」が有るので、撮像装置ＣＵａ−１は、撮像を開始するために、撮像制御部１２３によって、撮像を開始させる撮像開始の指示をカメラ１１へ出力する（Ｃ１５）。カメラ１１は、撮像制御部１２３から前記撮像開始の指示を受けると、撮像を開始し、この撮像によって生成した画像をＣＵ制御処理部１２ａへ出力し、ＣＵ制御処理部１２ａは、この画像をＣＵ記憶部１４ａに一時的に記憶する。これによって監視領域の画像（本実施形態では動画）が生成され、ＣＵ記憶部１４ａに記憶されて行く。前記動画は、例えば２４ｆｐｓや３０ｆｐｓ等の通常のフレームレートであって良く、あるいは、データ容量を低減するために、前記通常のフレームレートより低い例えば１５ｆｐｓや１０ｆｐｓや５ｆｐｓ等のフレームレートであって良い。
【００７８】
続いて、処理Ｃ１４で新たに介護士ＩＤを登録したので、撮像装置ＣＵａ−１は、紐付き情報を通知するために、ＣＵ制御処理部１２ａにおけるＣＵ生成部１２２ａの通知処理部１２２２によって、自機のカメラＩＤ；「ＣＵ−１」とＩＤ装置ＲＤａによって読み取って通知された介護士ＩＤ；「ＩＤ−ＮＡ」とを互いに紐付けた紐付け情報を生成し、この生成した紐付け情報および撮像開始時刻としての現在の時刻を管理サーバ装置ＳＶａへ通知（前記紐付け情報および現在の時刻（撮像開始時刻）を収容した紐付け情報通知通信信号を管理サーバ装置ＳＶａへ送信）する（Ｃ１６）。
【００７９】
撮像装置ＣＵａ−１から紐付け情報および撮像開始時刻の通知を受けると（撮像装置ＣＵａ−１から紐付け情報通知通信信号を受信すると）、管理サーバ装置ＳＶａは、前記紐付け情報および撮像開始時刻をＳＶ記憶部２３ａに一時的に仮に記憶する（Ｃ１７）。
【００８０】
そして、前記介護の終了によって、前記居室ＲＭ−１に在室している介護士ＮＳ−１は、退出する際に、その携行している携帯端末装置ＴＡａ−１を、前記居室ＲＭ−１に対応して設けられたＩＤ装置ＲＤａ−１に近接させ、介護士ＩＤ；「ＩＤ−ＮＡ」を読み取らせる読み取り操作を行う（Ｃ２１）。
【００８１】
携帯端末装置ＴＡａ−１とＩＤ装置ＲＤａ−１とは、互いに近接されると、上述の処理Ｃ１２と同様に、携帯端末装置ＴＡａ−１では、介護士ＩＤ情報出力処理部３２５は、介護士ＩＤ情報記憶部３３１に記憶されている介護士ＩＤ；「ＩＤ−ＮＡ」を取り出し、この取り出した介護士ＩＤ；「ＩＤ−ＮＡ」をＴＡＩＦ部３７で送信し、ＩＤ装置ＲＤａ−１は、携帯端末装置ＴＡａ−１から送信された介護士ＩＤ；「ＩＤ−ＮＡ」を受信し、これによって介護士ＩＤ；「ＩＤ−ＮＡ」を携帯端末装置ＴＡａ−１から読み取る（Ｃ２２）。
【００８２】
続いて、ＩＤ装置ＲＤａ−１は、上述の処理Ｃ１３と同様に、携帯端末装置ＴＡａ−１から読み取った介護士ＩＤ；「ＩＤ−ＮＡ」を、前記居室ＲＭ−１に設けられた撮像装置ＣＵａ−１へ通知する（Ｃ２３）。
【００８３】
ＩＤ装置ＲＤａ−１から介護士ＩＤ；「ＩＤ−ＮＡ」の通知を受けると、撮像装置ＣＵａ−１は、前記居室ＲＭ−１に対する介護士ＮＳの入出状況を処理するために、ＣＵ管理処理部１２２１ａによって、ＩＤ装置ＲＤａ−１から通知された介護士ＩＤ；「ＩＤ−ＮＡ」を管理する（Ｃ２４）。より具体的には、ここでは、図７の紙面中央に示すように、この通知された介護士ＩＤ；「ＩＤ−ＮＡ」が、ＣＵ入出状況情報記憶部１４１ａに記憶されているＣＵ入出状況情報テーブルＭＴａ−ｔ１２の介護士ＩＤフィールド１４１１に登録されているので、ＣＵ管理処理部１２２１ａは、前記通知された介護士ＩＤ；「ＩＤ−ＮＡ」を登録するレコードを削除する。これによって図７の紙面中央に示すＣＵ入出状況情報テーブルＭＴａ−ｔ１２からその紙面右側に示すＣＵ入出状況情報テーブルＭＴａ−ｔ１３となり、ＳＵ入出状況情報記憶部１４１ａには、介護士ＩＤ；「ＩＤ−ＮＡ」を登録したレコードが無くなって、介護士ＩＤを１つも登録しないＣＵ入出状況情報テーブルＭＴａ−ｔ１３が記憶される。通知処理部１２２２は、介護士ＩＤを登録しなかったので、紐付け情報を生成せず、紐付け情報通知通信信号を送信しない。
【００８４】
続いて、ＣＵ管理処理部１２２１ａで管理されているＣＵ入出状況情報テーブルＭＴａ−ｔ１３に、介護士ＩＤが無いので、撮像装置ＣＵａ−１は、撮像を終了するために、撮像制御部１２３によって、撮像を終了させる撮像終了の指示をカメラ１１へ出力する（Ｃ２５）。カメラ１１は、撮像制御部１２３から前記撮像終了の指示を受けると、撮像を終了する。
【００８５】
撮像が終了すると、撮像装置ＣＵａ−１は、ＣＵ制御処理部１２ａによって、ＣＵ記憶部１４ａに一時的に記憶した前記画像を管理サーバ装置ＳＶａへ送信する（Ｃ２６）。より具体的には、ＣＵ制御処理部１２ａは、ＣＵ記憶部１４ａに一時的に記憶した前記画像、自機のカメラＩＤ、および、撮像終了時刻としての現在の時刻を収容した画像通知通信信号を管理サーバ装置ＳＶａへ送信する。
【００８６】
撮像装置ＣＵａ−１から画像、カメラＩＤおよび撮像終了時刻の通知を受けると（撮像装置ＣＵａ−１から画像通知通信信号を受信すると）、管理サーバ装置ＳＶａは、この受信した画像通知通信信号に収容された画像（画像データ）を、画像ファイル名を付して画像介護記録記憶部２３１ａに記憶し、この画像ファイル名、ならびに、前記受信した画像通知通信信号に収容されたカメラＩＤおよび撮像終了時刻を、ＳＶ記憶部２３ａに一時的に仮に記憶する（Ｃ３７）。ここでは、前記受信した画像通知通信信号より前に、紐付け介護記録情報通信信号を受信していないので、管理サーバ装置ＳＶａは、前記一時的に仮にＳＶ記憶部２３ａに記憶したカメラＩＤに関する紐付け介護記録情報通信信号の受信を待つ。
【００８７】
前記居室ＲＭ−１から退室すると、介護士ＮＳ−１は、所定の入力操作によって介護記録情報入力画面をＴＡ表示部３６に表示させ、ＴＡ入力部３５から、カメラＩＤおよび介護記録情報を入力し、この入力した介護記録情報を管理サーバ装置ＳＶａへ送信する指示をＴＡ入力部３５から入力する（Ｃ３１）。
【００８８】
これらカメラＩＤ、介護記録情報および前記送信の指示をＴＡ入力部３５で受け付けると、携帯端末装置ＴＡａは、ＴＡ制御処理部３２ａのＴＡ生成部３２３によって、紐付け介護記録情報を管理サーバ装置ＳＶａへ送信する（Ｃ３２）。より具体的には、ＴＡ生成部３２３は、現在の時刻を入力時刻（作成時刻）として前記受け付けた介護記録情報に含ませ、ＴＡ生成部３２３は、前記紐付け介護記録情報として、前記受け付けたカメラＩＤと介護記録情報とを互いに紐付けた紐付け介護記録情報を生成し、この生成した紐付け介護記録情報を収容した紐付け介護記録通情報知通信信号を管理サーバ装置ＳＶａへ送信する。
【００８９】
携帯端末装置ＴＡａから紐付け介護記録情報の通知を受けると（携帯端末装置ＴＡａから紐付け介護記録通情報知通信信号を受信すると）、管理サーバ装置ＳＶａは、ＳＶ制御処理部２２ａの画像介護記録記憶処理部２２２ａによって、紐付け介護記録情報の介護記録情報を記憶（記録）する（Ｃ３３）。
【００９０】
より具体的には、画像介護記録記憶処理部２２２ａは、ＳＶ記憶部２３ａに一時的に仮に記憶されている各画像ファイル名と共に記憶されている各カメラＩＤの中から、前記受信した紐付け介護記録通知通信信号に収容された紐付け介護記録情報のカメラＩＤと一致するカメラＩＤを選定（検索）し、この選定したカメラＩＤと共に記憶されている画像ファイル名および撮像終了時刻と、前記受信した紐付け介護記録通知通信信号に収容された紐付け介護記録情報の介護記録情報とを紐付ける。続いて、画像介護記録記憶処理部２２２ａは、ＳＶ記憶部２３ａに一時的に仮に記憶されている各紐付け情報の各カメラＩＤの中から、前記受信した紐付け介護記録通知通信信号に収容された紐付け介護記録情報のカメラＩＤと一致するカメラＩＤを選定（検索）し、この選定したカメラＩＤを持つ紐付け情報の介護士ＩＤおよび前記撮像開始時刻と、前記紐付けた前記画像ファイル名と、を紐付ける。このような紐付け処理が終了すると、画像介護記録記憶処理部２２２ａは、画像介護記録記憶部２３１ａに記憶され、かつ、前記受信した紐付け介護記録情報通知通信信号に収容された紐付け介護記録情報のカメラＩＤに対応する画像介護記録情報テーブルＰＴに新たなレコードを生成し、この生成したレコードにおける介護記録フィールド２３１１、介護士ＩＤフィールド２３１２、画像ファイル名フィールド２３１３、撮像開始時刻フィールド２３１４および撮像終了時刻フィールド２３１５それぞれに、前記紐付けた、介護記録情報、介護士ＩＤ、前記画像ファイル名、前記撮像開始時刻および前記撮像終了時刻それぞれを登録する。そして、画像介護記録記憶処理部２２２ａは、これら登録した、ＳＶ記憶部２３ａに一時的に仮に記憶されている前記紐付け情報、前記撮像開始時刻、前記画像ファイル名、前記カメラＩＤ、前記撮像終了時刻、前記紐付け介護記録情報を消去（削除）する。
【００９１】
なお、上述では、紐付け介護記録情報（前記紐付け監視記録情報の一例）のカメラＩＤ（前記第２特定情報の一例）に基づいて前記紐付け介護記録情報の介護記録情報（前記監視記録情報の一例）を撮像装置ＣＵａで生成された画像に紐付けたが、携帯端末装置ＴＡａは、介護記録情報に、カメラＩＤに加えてさらに加えて介護士ＩＤ（前記第１特定情報の一例）も紐付け、管理サーバ装置ＳＶａは、紐付け介護記録情報におけるカメラＩＤおよび介護士ＩＤに基づいて前記紐付け介護記録情報の介護記録情報を撮像装置ＣＵａで生成された画像に紐付けても良い。以下の実施形態でも同様である。また、上述において、管理サーバ装置ＳＶａは、紐付け介護記録情報通知通信信号に収容された介護記録情報の入力時刻（作成時刻）を考慮して前記紐付け介護記録情報の介護記録情報を撮像装置ＣＵａで生成された画像に紐付けても良い。例えば、紐付け介護記録情報通知通信信号に収容された介護記録情報の入力時刻と撮像装置ＣＵａで生成された画像の撮像終了時刻との差が予め設定された所定の時間以内（例えば１５分以内、３０分以内、１時間以内、６時間以内および１２時間以内等）である場合に、管理サーバ装置ＳＶａは、これらを互いに紐付ける。
【００９２】
このような動作によって、被監視者監視支援システムＭＳａは、各居室ＲＭ−１〜ＲＭ−３に配置された各撮像装置ＣＵａ−１〜ＣＵａ−３から各画像を収集し、各画像に介護記録情報および介護士ＩＤを紐付けて記憶（記録）する。
【００９３】
そして、所望（目的）の介護士ＮＳに対する画像を抽出する場合には、例えば前記介護士ＮＳの上司等のオペレータは、ＳＶ入力部２４から検索キーとして前記所望の介護士ＮＳに対応する介護士ＩＤを入力し、検索開始の指示を入力する。
【００９４】
管理サーバ装置ＳＶａは、検索キーの介護士ＩＤと検索開始の指示を受け付けると、ＳＶ制御処理部２２ａによって、画像介護記録記憶部２３１ａに記憶されている各画像の中から、前記検索キーの介護士ＩＤを持つ画像を検索し、ＳＶ出力部２５に出力する。より具体的には、検索キーの介護士ＩＤを受け付けると、ＳＶ制御処理部２２ａは、画像介護記録記憶部２３１ａに記憶されている、各撮像装置ＣＵａそれぞれに対応する各画像介護記録情報テーブルＰＴそれぞれに対し、画像介護記録情報テーブルＰＴの介護士ＩＤフィールド２３１２に、前記受け付けた介護士ＩＤを登録するレコードを抽出し、この抽出したレコードにおける各フィールド２３１１（２３１１１〜２３１１３）、２３１２、２３１３、２３１４、２３１５、２３１６に登録されている介護記録情報、介護士ＩＤ、画像ファイル名、撮像開始時刻、撮像終了時刻およびメモを取り出し、この取り出した介護記録情報、介護士ＩＤ、画像ファイル名、撮像開始時刻、撮像終了時刻およびメモを、例えば、一覧表形式でＳＶ出力部２５に表示する。そして、画像ファイル名が指定されると、この画像ファイル名を持つ画像がＳＶ出力部２５に再生表示される。これによって前記オペレータは、所望の介護士ＮＳに対する画像を参照でき、前記介護士ＮＳが監視領域の居室ＲＭに赴いたか否かを確認できる。
【００９５】
以上説明したように、第１実施形態における被監視者監視支援システムＭＳａおよびこれに実装された被監視者監視支援方法は、前記監視者ＮＳの一例としての介護士ＮＳが監視領域に入場すると、前記第１および第２特定情報のうちの一方の特定情報（本実施形態では第１特定情報としての介護士ＩＤ）を読み取って他方の特定情報（本実施形態では第２特定情報としてのカメラＩＤ）に紐付けることによって前記第１および第２特定情報を互いに紐付けた紐付け情報を生成し、前記第２特定情報の入力を受け付け、監視記録情報の一例としての介護記録情報の入力を受け付けると、前記受け付けた第２特定情報と前記受け付けた介護記録情報とを互いに紐付けて紐付け介護記録情報を生成し、一方、撮像装置ＣＵａから画像とその第２特定情報とを得る。そして、上記被監視者監視支援システムＭＳａおよび被監視者監視支援方法は、前記画像と共に撮像装置ＣＵａから受信した前記第２特定情報、前記撮像装置ＣＵａからの紐付け情報、および、携帯端末装置ＴＡａからの紐付け介護記録情報に基づいて、前記撮像装置ＣＵａからの画像を、前記介護記録情報と前記第１特定情報とに紐付けて画像介護記録記憶部２３１ａに記憶する。すなわち、上記被監視者監視支援システムＭＳａおよび被監視者監視支援方法は、前記紐付け情報から、前記第２特定情報に対応する前記第１特定情報を得て、前記紐付け監視記録情報から、前記第２特定情報に対応する前記監視記録情報を得て、これら得られた前記第１特定情報および前記監視記録情報に、前記画像を紐付けて画像介護記録記憶部２３１ａに記憶する。したがって、上記被監視者監視支援システムＭＳａおよび被監視者監視支援方法は、所望（目的）の介護士ＮＳが記録した介護記録に対する、例えば介護等の状況を直接的に示す画像を記憶（記録）できる。しかも、介護士ＮＳの読取操作という低負担な操作で、前記画像が記憶（記録）できる。また監視記録が介護記録である場合では、同一の介護種別における時系列な複数の前記画像を蓄積することで、被介護者Ｏｂの時間変化の様子も認識できる。
【００９６】
上記被監視者監視支援システムＭＳａおよび被監視者監視支援方法は、管理下の前記一方の特定情報（本実施形態では第１特定情報としての介護士ＩＤ）が有る場合に、撮像開始の指示をカメラ１１へ出力し、管理下の前記一方の特定情報が無くなった場合に、撮像終了の指示を前記カメラ１１へ出力する。すなわち、上記被監視者監視支援システムＭＳａおよび被監視者監視支援方法は、前記監視領域に対し、介護士ＮＳが入場すると前記撮像開始を指示し、少なくとも１人の介護士ＮＳが所在している間、撮像を継続し、そして、介護士ＮＳが退場すると、前記撮像終了を指示する。このため、上記被監視者監視支援システムＭＳａおよび被監視者監視支援方法は、少なくとも１人の介護士ＮＳが前記監視領域内に所在する間の画像を画像介護記録記憶部２３１ａに記憶でき、介護士ＮＳの所在に無関係に連続的に撮像する場合（例えば２４時間撮像）に較べて、画像のデータ容量を低減できる。
【００９７】
次に、別の実施形態について説明する。
【００９８】
（第２実施形態）
図８は、前記被監視者監視支援システムにおける第２実施形態の撮像装置の構成を示す図である。図９は、前記被監視者監視支援システムにおける第２実施形態の管理サーバ装置の構成を示す図である。図１０は、前記被監視者監視支援システムにおける第２実施形態の携帯端末装置の構成を示す図である。
【００９９】
第１実施形態における被監視者監視支援システムＭＳａでは、読取操作によって、ＩＤ装置ＲＤａが携帯端末装置ＴＡａから第１特定情報（上述の例では監視者ＩＤの一例である介護士ＩＤ）を読み取り、これを撮像装置ＣＵａへ通知し、撮像装置ＣＵａが、ＩＤ装置ＲＤａから通知された前記第１特定情報と、予め記憶された第２特定情報（上述の例ではカメラＩＤ）とを紐付けて紐付け情報として管理サーバ装置ＳＶａへ通知した。一方、第２実施形態における被監視者監視支援システムＭＳｂでは、読取操作によって、携帯端末装置ＴＡｂがＩＤ装置ＲＤｂから、第２特定情報を読み取り、この読み取った第２特定情報と、予め記憶された第１特定情報とを紐付けて紐付け情報として管理サーバ装置ＳＶｂへ通知するものである。第２実施形態では、前記撮像部は、撮像装置ＣＵｂに実装され、前記読取部、前記第１生成部および第２生成部は、携帯端末装置ＴＡｂに実装され、前記画像記憶部および前記画像記憶処理部は、管理サーバ装置ＳＶｂに実装される。第２実施形態における第１および第２特定情報は、それぞれ、第１実施形態と同様に、例えば、介護士ＩＤおよびカメラＩＤである。
【０１００】
このような被監視者監視支援システムＭＳｂは、例えば、図１示すように、第１実施形態における被監視者監視支援システムＭＳａと同様に、１または複数の撮像装置ＣＵｂ（ＣＵｂ−１〜ＣＵｂ−３）と、１または複数のＩＤ装置ＲＤｂ（ＲＤｂ−１〜ＲＤｂ−３）と、管理サーバ装置ＳＶｂと、１または複数の携帯端末装置ＴＡｂ（ＴＡｂ−１、ＴＡｂ−２）と、構内交換機ＣＸとを備え、これらは、ネットワークＮＷを介して通信可能に接続される。第２実施形態の被監視者監視支援システムＭＳｂにおける構内交換機ＣＸは、第１実施形態の被監視者監視支援システムＭＳａにおける構内交換機ＣＸと同様であるので、その説明を省略する。
【０１０１】
ＩＤ装置ＲＤｂは、監視領域（本実施形態では居室ＲＭ）に対応する撮像装置ＣＵｂに対応して設けられ、前記撮像装置ＣＵｂを特定する第２特定情報（本実施形態ではカメラＩＤ）を、携帯端末装置ＴＡｂに読み取り可能に備える装置である。このようなＩＤ装置ＲＤｂは、例えば、前記第２特定情報を表す１次元コード（バーコード）または２次元コードを持つ部材である。より具体的には、ＩＤ装置ＲＤｂは、一例では、前記第２特定情報を表す１次元コードまたは２次元コードを印字したプレートであり、当該ＩＤ装置ＲＤｂに対応する撮像装置ＣＵｂの撮像対象の領域に配設される。
【０１０２】
なお、上述では、ＩＤ装置ＲＤｂは、前記第２特定情報を表す１次元コードまたは２次元コードを持つ部材であるが、これに限定されるものではなく、他の装置であってもよい。例えば、ＩＤ装置ＲＤｂは、前記第２特定情報を記憶するＩＣカード（ＲＦタグ）または磁気カードでも良い。あるいは、例えば、ＩＤ装置ＲＤｂは、通信機能を備え、前記第２特定情報を記憶するタブレット端末装置であっても良い。
【０１０３】
撮像装置ＣＵｂは、第１実施形態の撮像装置ＣＵａと同様に、監視領域に対応して設けられ、ネットワークＮＷを介して管理サーバ装置ＳＶｂと通信する通信機能等を備え、前記監視領域の画像を生成する装置である。第２実施形態における撮像装置ＣＵｂは、第１実施形態における撮像装置ＣＵａのように、第１特定情報（介護士ＩＤ）の管理を行わず、したがって、カメラ１１に対する撮像開始および撮像終了の制御も行わない。このような点で、第２実施形態における撮像装置ＣＵｂは、第１実施形態における撮像装置ＣＵａと異なる。
【０１０４】
このような撮像装置ＣＵｂは、例えば、図９に示すように、カメラ１１と、ＣＵ制御処理部１２ｂと、ＣＵ通信ＩＦ部１３と、ＣＵ記憶部１４ｂとを備える。これら第２実施形態の撮像装置ＣＵｂにおけるカメラ１１およびＣＵ通信ＩＦ部１３は、それぞれ、第１実施形態の撮像装置ＣＵａにおけるカメラ１１およびＣＵ通信ＩＦ部１３と同様であるので、その説明を省略する。
【０１０５】
ＣＵ記憶部１４ｂは、第２実施形態では撮像装置ＣＵｂが上述したように第１特定情報を管理しないので、ＣＵ入出状況情報記憶部１４１ａを備えない。この点を除き、第２実施形態のＣＵ記憶部１４ｂは、第１実施形態のＣＵ記憶部１４ａと同様であるので、その説明を省略する。
【０１０６】
ＣＵ制御処理部１２ｂは、撮像装置ＣＵｂが上述したように第１特定情報を管理せず、カメラ１１に対する撮像開始および撮像終了の制御も行わないので、ＣＵ生成部１２２ａおよび撮像制御部１２３を備えない。すなわち、第２実施形態のＣＵ制御処理部１２ｂは、撮像装置ＣＵｂの各部１１、１３、１４ｂを当該各部の機能に応じてそれぞれ制御し、前記撮像対象を撮像して画像を生成し、この生成した画像を、管理サーバ装置ＳＶｂへ通知するための回路である。そして、ＣＵ制御処理部１２ｂは、前記生成した画像を管理サーバ装置ＳＶｂへ通知する際に、ＣＵ記憶部１４ｂに予め記憶された自機の第２特定情報（本実施形態ではカメラＩＤ）と共に、前記生成した画像と共に管理サーバ装置ＳＶｂへ通知する。ＣＵ制御処理部１２ｂは、例えば、ＣＰＵおよびその周辺回路を備えて構成される。
【０１０７】
第２実施形態では、上述のようにカメラ１１に対する撮像開始および撮像終了の制御を行わないので、撮像装置ＣＵｂが稼働を始めると、カメラ１１は、常時、監視領域の画像を生成し、この生成した画像をＣＵ制御処理部１２ｂへ出力し、ＣＵ制御処理部１２ｂは、この画像をＣＵ記憶部１４ｂに一時的に記憶する。そして、ＣＵ制御処理部１２ｂは、予め設定された所定の通知タイミングで、カメラ１１で生成され一時的にＣＵ記憶部１４ｂに記憶した画像（画像データ）を画像通知通信信号で管理サーバ装置ＳＶｂへ送信する。前記通知タイミングは、任意であり、例えば、予め設定された時間間隔（例えば勤務体制に応じて８時間間隔や、１日分の２４時間間隔等）であって良く、あるいは、例えば、予め設定された定時（例えば毎正時や、午前０等）であって良い。
【０１０８】
携帯端末装置ＴＡｂは、第１実施形態における携帯端末装置ＴＡａと同様に、ネットワークＮＷを介して管理サーバ装置ＳＶｂと通信する通信機能、所定の情報を表示する表示機能、所定の指示やデータを入力する入力機能、および、音声通話を行う通話機能等を備え、管理サーバ装置ＳＶｂから受信したデータを表示したり、内線電話したり、外線電話したり等するための機器である。そして、本実施形態では、携帯端末装置ＴＡｂは、前記第２特定情報（本実施形態ではカメラＩＤ）をＩＤ装置ＲＤｂから読み取って予め持っている前記第１特定情報（本実施形態では監視者ＩＤの一例である介護士ＩＤ）を、前記読み取った第２特定情報と共に紐付け情報として管理サーバ装置ＳＶｂへ通知する。さらに、本実施形態では、携帯端末装置ＴＡｂは、第１実施形態における携帯端末装置ＴＡａと同様に、前記第２特定情報の入力を受け付け、監視記録情報の入力を受け付けた場合に、前記受け付けた第２特定情報と前記受け付けた監視記録情報とを互いに紐付けて紐付け監視記録情報を生成し、この生成した紐付け監視記録情報を管理サーバ装置ＳＶｂへ出力（送信）する。このような携帯端末装置ＴＡｂは、本実施形態では、例えば、図１０に示すように、ＴＡ通信ＩＦ部３１と、ＴＡ制御処理部３２ｂと、ＴＡ記憶部３３ｂと、ＴＡ音入出力部３４と、ＴＡ入力部３５と、ＴＡ表示部３６と、ＴＡＩＦ部３７とを備える。これら第２実施形態の携帯端末装置ＴＡｂにおけるＴＡ通信ＩＦ部３１、ＴＡ音入出力部３４、ＴＡ入力部３５、ＴＡ表示部３６およびＴＡＩＦ部３７は、それぞれ、第１実施形態の携帯端末装置ＴＡａにおけるＴＡ通信ＩＦ部３１、ＴＡ音入出力部３４、ＴＡ入力部３５、ＴＡ表示部３６およびＴＡＩＦ部３７と同様であるので、その説明を省略する。第２実施形態のＴＡ記憶部３３ｂは、ＴＡ制御処理プログラムに含まれる１つのプログラムとして、前記第２特定情報（本実施形態ではカメラＩＤ）をＩＤ装置ＲＤｂから読み取って予め持っている前記第１特定情報（本実施形態では介護士ＩＤ）を、通知する読取通知処理プログラムをさらに記憶する点を除いて、第１実施形態のＴＡ記憶部３３ａと同様であるので、その説明を省略する。
【０１０９】
ＴＡ制御処理部３２ｂは、第１実施形態におけるＴＡ制御処理部３２ａと同様に、携帯端末装置ＴＡｂの各部３１、３３ｂ、３４〜３７を当該各部の機能に応じてそれぞれ制御するための回路である。そして、第２実施形態では、ＴＡ制御処理部３２ｂは、前記第２特定情報（本実施形態ではカメラＩＤ（センサＩＤ））をＩＤ装置ＲＤｂから読み取って予め持っている前記第１特定情報（本実施形態では介護士ＩＤ）を、前記読み取った第２特定情報と共に紐付け情報として管理サーバ装置ＳＶｂへ通知する。さらに、本実施形態では、ＴＡ制御処理部３２ｂは、第１実施形態におけるＴＡ制御処理部３２ａと同様に、前記第２特定情報の入力を受け付け、監視記録情報の入力を受け付けた場合に、前記受け付けた第２特定情報と前記受け付けた監視記録情報とを互いに紐付けて紐付け監視記録情報を生成し、この生成した紐付け監視記録情報を管理サーバ装置ＳＶｂへ出力（送信）する。ＴＡ制御処理部３２ｂは、例えば、ＣＰＵおよびその周辺回路を備えて構成される。ＴＡ制御処理部３２ｂは、ＴＡ制御処理プログラムが実行されることによって、ＴＡ制御部３２１、ＴＡ生成部３２３および読取通知処理部３２４を機能的に備える。これら第２実施形態の携帯端末装置ＴＡｂにおけるＴＡ制御部３２１およびＴＡ生成部３２３は、それぞれ、第１実施形態の携帯端末装置ＴＡａにおけるＴＡ制御部３２１およびＴＡ生成部３２３と同様であるので、その説明を省略する。
【０１１０】
読取通知処理部３２４は、前記第２特定情報（本実施形態ではカメラＩＤ）をＩＤ装置ＲＤｂから読み取って予め介護士ＩＤ情報記憶部３３１に持っている前記第１特定情報（本実施形態では介護士ＩＤ）を、前記読み取った第２特定情報と共に紐付け情報として管理サーバ装置ＳＶｂへ通知するものである。
【０１１１】
本実施形態では、ＩＤ装置ＲＤｂは、第２特定情報としてカメラＩＤを表す１次元コードまたは２次元コードを印字したプレートであるので、携帯端末装置ＴＡｂは、例えばカメラをさらに備え、読取通知処理部３２４は、前記カメラで１次元コードまたは２次元コードを撮像することによって得られた画像（画像データ）に対し所定の画像処理を実行することで、１次元コードまたは２次元コードを識別して解析し、この解析結果から前記第２特定情報（カメラＩＤ）を読み取る。そして、読取通知処理部３２４は、この読み取った前記第２特定情報（カメラＩＤ）および介護士ＩＤ情報記憶部３３１に記憶されている介護士ＩＤを互いに紐付けて紐付け情報を生成し、この生成した紐付け情報および現在の時刻を収容する通信信号（紐付け情報通知通信信号）を管理サーバ装置ＳＶｂ宛に生成し、この生成した紐付け情報通知通信信号をＴＡ通信ＩＦ部３１で送信する。
【０１１２】
なお、ＩＤ装置ＲＤｂがＩＣカード（ＲＦタグ）または磁気カードである場合には、携帯端末装置ＴＡｂは、ＩＣカードまたは磁気カードのカードリーダをさらに備え、読取通知処理部３２４は、前記カードリーダでＩＣカードまたは磁気カードから前記第２特定情報（カメラＩＤ）を読み取り、前記紐付け情報通知通信信号を管理サーバ装置ＳＶｂへ送信する。あるいは、ＩＤ装置ＲＤｂがタブレット端末装置である場合には、読取通知処理部３２４は、ＴＡＩＦ部３７で前記タブレット端末装置から前記第２特定情報（カメラＩＤ）を読み取り、前記紐付け情報通知通信信号を管理サーバ装置ＳＶｂへ送信する。
【０１１３】
なお、携帯端末装置ＴＡｂは、第２実施形態では、所定の監視者が監視領域に入場する場合に、前記監視者を特定する第１特定情報および前記監視領域に対応する撮像部を特定する第２特定情報のうちの一方の特定情報を読み取る読取部の他の一例に相当する。そして、読取通知処理部３２４は、第２実施形態では、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する第１生成部の他の一例に相当する。
【０１１４】
管理サーバ装置ＳＶｂは、第１実施形態の管理サーバ装置ＳＶａと同様に、ネットワークＮＷを介して他の装置ＣＵｂ、ＴＡｂと通信する通信機能を備え、撮像装置ＣＵｂから画像を受信すると、前記画像を記憶して管理し、クライアント（本実施形態では携帯端末装置ＴＡｂ等）の要求に応じたデータを前記クライアントに提供し、被監視者監視支援システムＭＳｂ全体を管理する装置である。そして、第２実施形態では、管理サーバ装置ＳＶｂは、携帯端末装置ＴＡｂから通知された紐付け情報としての第１および第２特定情報（本実施形態では監視者ＩＤの一例である介護士ＩＤ、および、カメラＩＤ）を管理し、前記通知タイミングで撮像装置ＣＵｂから受信した画像を元画像（オリジナル画像）として記憶し、この元画像から監視者（本実施形態では介護士）ＮＳの入退場に応じた画像を切り出し、この切り出した前記画像を記憶する際に、前記元画像と共に撮像装置ＣＵｂから受信した前記第２特定情報、前記携帯端末装置ＴＡｂから受信した紐付け情報、および、携帯端末装置ＴＡｂから受信した紐付け監視記録情報に基づいて、前記画像を監視記録情報および前記第１特定情報に紐付けて記憶する。このような管理サーバ装置ＳＶｂは、例えば、図９に示すように、ＳＶ通信ＩＦ部２１と、ＳＶ制御処理部２２ｂと、ＳＶ記憶部２３ｂと、ＳＶ入力部２４と、ＳＶ出力部２５と、ＳＶＩＦ部２６とを備える。これら第２実施形態の管理サーバ装置ＳＶｂにおけるＳＶ通信ＩＦ部２１、ＳＶ入力部２４、ＳＶ出力部２５、ＳＶＩＦ部２６は、それぞれ、第１実施形態の管理サーバ装置ＳＶａにおけるＳＶ通信ＩＦ部２１、ＳＶ入力部２４、ＳＶ出力部２５、ＳＶＩＦ部２６と同様であるので、その説明を省略する。
【０１１５】
ＳＶ記憶部２３ｂは、ＳＶ制御処理部２２ｂに接続され、ＳＶ制御処理部２２ｂの制御に従って、各種の所定のプログラムおよび各種の所定のデータを記憶する回路である。前記各種の所定のプログラムには、例えば、所定のＳＶ制御処理プログラムが含まれ、前記ＳＶ制御処理プログラムには、例えば、管理サーバ装置ＳＶｂの各部２１、２３ｂ、２４〜２６を当該各部の機能に応じてそれぞれ制御するＳＶ制御プログラムや、撮像装置ＣＵｂで生成された画像を後述の画像介護記録記憶部２３１ｂおよび元画像記憶部２３２に記憶させる画像記憶処理プログラムや、携帯端末装置ＴＡｂから通知された紐付け情報としての第１および第２特定情報（本実施形態では介護士ＩＤおよびカメラＩＤ）を管理するＳＶ管理処理プログラム等が含まれる。前記各種の所定のデータには、自機のサーバＩＤや、撮像装置ＣＵｂで生成され画像通知通信信号で受信した画像（元画像、元画像データ）や、前記元画像から監視者（本実施形態では介護士）ＮＳの入退場に応じて切り出した画像（画像データ）や、携帯端末装置ＴＡｂに入力され受信した監視記録情報（本実施形態では介護記録情報）や、監視領域に対する監視者ＮＳの入出状況を表すＳＶ入出状況情報等の各プログラムを実行する上で必要なデータ等が含まれる。ＳＶ記憶部２３ｂは、例えばＲＯＭやＥＥＰＲＯＭやＲＡＭ等を備え、必要に応じてＨＤＤをさらに備える。そして、これら前記画像、前記介護記録情報、前記元画像およびＳＶ入出状況情報を記憶するために、ＳＶ記憶部２３ｂは、画像介護記録記憶部２３１ｂ、元画像記憶部２３２およびＳＶ入出状況情報記憶部２３３を機能的に備える。
【０１１６】
元画像記憶部２３２は、前記通知タイミングに応じて撮像装置ＣＵｂから受信した画像を元画像（オリジナル画像）として第２特定情報（本実施形態ではカメラＩＤ）および撮像終了時刻と紐付けて記憶するものである。より具体的には、本実施形態では、前記画像通知通信信号に収容された前記画像（画像データ）は、自動的に割り振られたファイル名（元画像ファイル名）を付して元画像として元画像記憶部２３２に記憶され、前記画像の元画像ファイル名と、前記画像通知通信信号に収容されたカメラＩＤと、前記撮像終了時刻としての、前記画像通知通信信号に収容された時刻とが互いに紐付けられて、元画像記憶部２３２に記憶される。
【０１１７】
画像介護記録記憶部２３１ｂは、撮像装置ＣＵａからの前記元画像から、監視者（本実施形態では介護士）ＮＳの入退場に応じて切り出した前記画像を、第１特定情報（本実施形態では監視者ＩＤの一例である介護士ＩＤ）に紐付けて記憶するものである。第１実施形態の画像介護記録記憶部２３１ａは、撮像装置ＣＵａからの前記画像そのものを記憶したが、第２実施形態の画像介護記録記憶部２３１ｂは、撮像装置ＣＵｂからの前記元画像から、介護士ＮＳの入退場に応じて切り出した前記画像を記憶する。この点を除き、第２実施形態の画像介護記録記憶部２３１ｂは、第１実施形態の画像介護記録記憶部２３１ａと同様であるので、その説明を省略する。
【０１１８】
ＳＶ入出状況情報記憶部２３３は、監視領域に対する監視者（本実施形態では介護士）ＮＳの入出状況を表す前記ＳＶ入出状況情報を記憶するものである。本実施形態では、ＳＶ入出状況情報は、前記第１特定情報、本実施形態では監視者ＩＤの一例である介護士ＩＤの記憶の有り無しによって、監視領域に対する監視者ＮＳの入出状況を表す。より具体的には、本実施形態では、監視領域は、複数の居室ＲＭであるので、各監視領域ごとに、当該監視領域に対する介護士ＮＳの入出状況を表すために、複数の第２特定情報（本実施形態ではカメラＩＤ）それぞれに、前記第１特定情報、本実施形態では介護士ＩＤが対応付けられ、前記ＳＶ入出状況情報としてＳＶ入出状況情報記憶部２３３に記憶される。より詳しくは、ＳＶ入出状況情報は、テーブル形式でＳＶ入出状況情報記憶部２３３に記憶される。このＳＶ入出状況情報を登録するＳＶ入出状況情報テーブルＭＴｂは、例えば、後述の図１２に示すように、カメラＩＤを登録するカメラＩＤフィールド２３３１と、カメラＩＤフィールド２３３１に登録されたカメラＩＤを持つ撮像装置ＣＵｂに対応する監視領域に対し入退場する介護士ＮＳの介護士ＩＤを登録する介護士ＩＤフィールド２３３２とを備え、カメラＩＤ（すなわち、監視領域（居室ＲＭ））ごとにレコードを持つ。各レコードのカメラＩＤフィールド２３３１には、複数の監視領域それぞれに対応する撮像装置ＣＵｂのカメラＩＤが予め登録される。
【０１１９】
ＳＶ制御処理部２２ｂは、管理サーバ装置ＳＶｂの各部２１、２３ｂ、２４〜２６を当該各部の機能に応じてそれぞれ制御し、撮像装置ＣＵｂから画像を受信すると、前記画像を記憶して管理し、クライアント（本実施形態では携帯端末装置ＴＡｂ等）の要求に応じたデータを前記クライアントに提供し、被監視者監視支援システムＭＳｂ全体を管理するための回路である。本実施形態では、ＳＶ制御処理部２２ｂは、携帯端末装置ＴＡｂから通知された紐付け情報としての第１および第２特定情報（本実施形態では介護士ＩＤおよびカメラＩＤ）を管理し、前記通知タイミングで撮像装置ＣＵｂから受信した画像を元画像として記憶し、この元画像から監視者（本実施形態では介護士）ＮＳの入退場に応じた画像を切り出し、この切り出した前記画像を記憶する際に、前記元画像と共に撮像装置ＣＵｂから受信した前記第２特定情報、携帯端末装置ＴＡｂから受信した紐付け情報、および、携帯端末装置ＴＡｂから受信した紐付け監視記録情報に基づいて、前記画像を監視記録情報および前記第１特定情報に紐付けて記憶する。ＳＶ制御処理部２２ｂは、例えば、ＣＰＵおよびその周辺回路を備えて構成される。ＳＶ制御処理部２２ｂは、そのＳＶ制御処理プログラムが実行されることによって、ＳＶ制御部２２１、画像介護記録記憶処理部２２２ｂおよびＳＶ管理処理部２２３を機能的に備える。第２実施形態の管理サーバ装置ＳＶｂにおけるＳＶ制御部２２１は、第１実施形態の管理サーバ装置ＳＶａにおけるＳＶ制御部２２１と同様であるので、その説明を省略する。
【０１２０】
ＳＶ管理処理部２２３は、携帯端末装置ＴＡｂから通知された前記第１および第２特定情報（本実施形態では、監視者ＩＤの一例である介護士ＩＤおよびカメラＩＤ）を管理するものである。より具体的には、携帯端末装置ＴＡｂから紐付け情報通知通信信号で紐付け情報として第１および第２特定情報として介護士ＩＤおよびカメラＩＤが通知されると、ＳＶ管理処理部２２３は、まず、この通知されたカメラＩＤを、ＳＶ入出状況情報記憶部２３３に記憶されているＳＶ入出状況情報テーブルＭＴｂのカメラＩＤフィールド２３３１に登録するレコードを選定（検索）する。次に、ＳＶ管理処理部２２３は、この選定したレコードにおける介護士ＩＤフィールド２３３２に、前記通知された介護士ＩＤが登録されているか否かを調べる。ＳＶ管理処理部２２３は、この選定したレコードにおける介護士ＩＤフィールド２３３２に、前記通知された介護士ＩＤが登録されていない場合には、前記選定したレコードにおける介護士ＩＤフィールド２３３２に、前記通知された介護士を登録する。これによってカメラＩＤを持つ撮像装置ＣＵｂに対応する監視領域に介護士ＩＤを持つ介護士ＮＳが入場（入室、在室）した状況がＳＶ入出状況情報記憶部２３３に記憶される。一方、ＳＶ管理処理部２２３は、前記選定したレコードにおける介護士ＩＤフィールド２３３２に、前記通知された介護士ＩＤが登録されている場合には、前記選定したレコードにおける介護士ＩＤフィールド２３３２から介護士ＩＤを削除（消去）する。これによってカメラＩＤを持つ撮像装置ＣＵｂに対応する監視領域から介護士ＩＤを持つ介護士ＮＳが退場（退室、不在）した状況がＳＶ入出状況情報記憶部２３３に記憶される。このようにＳＶ管理処理部２２３は、各カメラＩＤごと（各監視領域ごと）に介護士ＩＤの記憶の有り無しによって、各監視領域に対する介護士ＮＳの入出状況を管理する。そして、ＳＶ管理処理部２２３は、各レコードごと（各カメラＩＤごと、すなわち、各監視領域ごと）に、介護士ＩＤフィールド２３３２に介護士ＩＤが１つも無い状態から介護士ＩＤが登録されると、この登録した介護士ＩＤの紐付け情報を収容した紐付け情報通知通信信号に収容された時刻を開始時刻として、前記登録した介護士、紐付け情報でこの介護士ＩＤに紐付けられたカメラＩＤおよび前記開始時刻を互いに紐付けてＳＶ記憶部２３ｂに一時的に仮に記憶する。ＳＶ管理処理部２２３は、前記各レコードごとに、前記開始時刻から前記介護士ＩＤフィールド２３３２に介護士ＩＤが１つも無い状態になるまでの間に前記介護士ＩＤフィールド２３３２に登録された介護士ＩＤを、前記互いに紐付けられた介護士ＩＤ、カメラＩＤおよび開始時刻にさらに紐付けてＳＶ記憶部２３ｂに一時的に仮に記憶する。そして、ＳＶ管理処理部２２３は、前記各レコードごとに、前記介護士ＩＤフィールド２３３２に介護士ＩＤが少なくとも１つ有る状態から介護士ＩＤが１つも無くなると、この登録から削除した介護士ＩＤの紐付け情報を収容した紐付け情報通知通信信号に収容された時刻を終了時刻として、この終了時刻を、前記互いに紐付けられた介護士ＩＤ、カメラＩＤおよび開始時刻にさらに紐付けてＳＶ記憶部２３ｂに一時的に仮に記憶する。これによって１つのカメラＩＤ、１または複数の介護士ＩＤ、開始時刻および終了時刻を互いに紐付けた１組の情報がＳＶ記憶部２３ｂに一時的に仮に記憶される。
【０１２１】
画像介護記録記憶処理部２２２ｂは、撮像装置ＣＵｂで生成された画像を画像介護記録記憶部２３１ｂおよび元画像記憶部２３２に記憶させるものである。画像介護記録記憶処理部２２２ａは、前記画像を記憶する際に、前記画像と共に撮像装置ＣＵａから受信した前記第２特定情報（本実施形態ではカメラＩＤ）、携帯端末装置ＴＡｂから受信した紐付け情報、および、携帯端末装置ＴＡｂから受信した紐付け監視記録情報（本実施形態では紐付け介護記録情報）に基づいて、前記画像を、前記監視記録情報（本実施形態では介護記録情報）と前記第１特定情報（本実施形態では介護士ＩＤ）とに紐付けて画像介護記録記憶部２３１ｂに記憶する。本実施形態では、画像介護記録記憶処理部２２２ｂは、撮像装置ＣＵｂで生成され撮像装置ＣＵｂから受信した画像を元画像として元画像記憶部２３２に記憶するための元画像記憶処理部２２２３と、携帯端末装置ＴＡｂに入力され携帯端末装置ＴＡｂから受信した監視記録情報（本実施形態では介護記録情報）をＳＶ記憶部２３ｂに記憶する介護記録記憶処理部２２２２と、前記元画像から監視者（本実施形態では介護士）ＮＳの入退場に応じて切り出した画像を画像介護記録記憶部２３１ｂに記憶するための画像切出記憶処理部２２２１とを機能的に備える。
【０１２２】
元画像記憶処理部２２２３は、前記通知タイミングに応じて撮像装置ＣＵｂから受信した画像を元画像（オリジナル画像）として元画像記憶部２３２に記憶するものである。より具体的には、撮像装置ＣＵｂから画像通知通信信号を受信すると、まず、元画像記憶処理部２２２３は、この受信した画像通知通信信号に収容されている、元画像（元画像データ）としての画像（画像データ）、第２特定情報としてのカメラＩＤ、および、撮像終了時刻としての時刻を取り出す。次に、元画像記憶処理部２２２３は、この取り出した元画像に対して自動的に元画像ファイル名を生成し、この生成した元画像ファイル名を付して前記取り出した元画像を元画像記憶部２３２に記憶する。そして、元画像記憶処理部２２２３は、前記元画像ファイル名と、前記取り出したカメラＩＤと、前記取り出した撮像終了時刻とを互いに紐付けて元画像記憶部２３２に記憶する。
【０１２３】
介護記録記憶処理部２２２２は、携帯端末装置ＴＡｂから受信した紐付け監視記録情報（本実施形態では紐付け介護記録情報）を画像介護記録記憶部２３１ｂに記憶するものである。より具体的には、携帯端末装置ＴＡｂから紐付け介護記録情報通知通信信号を受信すると、まず、介護記録記憶処理部２２２２は、画像介護記録記憶部２３１ｂに記憶されている画像介護記録情報テーブルＰＴから、前記受信した紐付け介護記録情報通知通信信号に収容された紐付け介護記録情報のカメラＩＤに対応する画像介護記録情報テーブルＰＴを選定（検索）する。次に、介護記録記憶処理部２２２２は、この選定した前記紐付け介護記録情報のカメラＩＤに対応する画像介護記録情報テーブルＰＴに新たにレコードを作成し、この新たに作成したレコードにおける介護記録フィールド２３１１に、前記受信した紐付け介護記録情報通知通信信号に収容された紐付け介護記録情報の介護記録情報を登録する。図４に示す例では、介護記録記憶処理部２２２２は、前記新たに作成したレコードにおける介護種別サブフィールド２３１１１、入力時刻サブフィールド２３１１２および介護内容サブフィールド２３１１３それぞれに、前記介護記憶情報における介護の種別、入力時刻および具体的な介護の内容それぞれを登録する。
【０１２４】
画像切出記憶処理部２２２１は、前記元画像から監視者（本実施形態では介護士）ＮＳの入退場に応じた画像を切り出した前記画像を画像介護記録記憶部２３１ｂに記憶するものである。画像切出記憶処理部２２２１は、この切り出した前記画像を画像介護記録記憶部２３１ｂに記憶する際に、前記元画像と共に撮像装置ＣＵｂから受信した前記第２特定情報（本実施形態ではカメラＩＤ）、携帯端末装置ＴＡｂから受信した紐付け情報、および、携帯端末装置ＴＡｂから受信した紐付け監視記録情報（本実施形態では紐付け介護記録情報）に基づいて、前記画像を、前記監視記録情報（本実施形態では介護記録情報）と前記第１特定情報（本実施形態では介護士ＩＤ）とに紐付けて画像介護記録記憶部２３１ｂに記憶する。より具体的には、画像切出記憶処理部２２２１は、予め設定された所定の切出タイミングで、まず、ＳＶ管理処理部２２３によってＳＶ記憶部２３ｂに一時的に仮に記憶されている前記互いに紐付けられた１組の介護士ＩＤ、カメラＩＤ、開始時刻および終了時刻を取り出し、元画像記憶部２３２から、この取り出したカメラＩＤに紐付けられ、かつ、前記取り出した開始時刻および終了時刻を含む元画像ファイル名（元画像）を選定（検索）する。元画像ファイル名には、撮像終了時刻が紐付けられ、通知タイミングが既知であるので、元画像の先頭時刻（撮像開始時刻）が算出でき、元画像ファイル名を持つ元画像が前記取り出した開始時刻および終了時刻を含むか否か判定できる。前記切出タイミングは、任意であり、例えば、予め設定された時間間隔（例えば勤務体制に応じて８時間間隔や、１日分の２４時間間隔等）であって良く、あるいは、例えば、予め設定された定時（例えば毎正時や、午前０等）であって良く、あるいは、元画像記憶処理部２２２３によって元画像が元画像記憶部２３２に記憶された時点であって良い。次に、画像切出記憶処理部２２２１は、この選定した元画像ファイル名を持つ元画像から、前記取り出した開始時刻および終了時刻に相当する部分の画像を切り出して新たな画像（画像データ、元画像の時間的な部分画像）を生成する。次に、画像切出記憶処理部２２２１は、この切り出した前記画像に対し自動的に画像ファイル名を生成し、前記切り出した前記画像を前記生成した画像ファイル名を付して画像介護記録記憶部２３１ｂに記憶する。次に、画像切出記憶処理部２２２１は、画像介護記録記憶部２３１ｂに記憶されている画像介護記録情報テーブルＰＴから、前記取り出した１組の介護士ＩＤ、カメラＩＤ、開始時刻および終了時刻における当該カメラＩＤに対応する画像介護記録情報テーブルＰＴを選定（検索）する。そして、画像切出記憶処理部２２２１は、この選定した画像介護記録情報テーブルＰＴから、介護記録フィールド２３１１に介護記録情報が登録され、かつ、介護士フィールド２３１２、画像ファイル名フィールド２３１３、撮像開始時刻フィールド２３１４および撮像終了時刻フィールド２３１５それぞれにデータが登録されていないレコードを選定し、この選定したレコードにおける介護士フィールド２３１２、撮像開始時刻フィールド２３１４および撮像終了時刻フィールド２３１５それぞれに前記取り出した介護士ＩＤ、開始時刻および終了時刻それぞれを登録し、さらに、画像ファイル名フィールド２３１３に前記切り出した画像に付した画像ファイル名を登録する。なお、前記レコードの選定では、前記通知タイミングおよび前記切出タイミングの各設定値によっては、複数のレコードが選定される場合が有り得る。このような場合には、前記取り出した１組の介護士ＩＤ、カメラＩＤ、開始時刻および終了時刻における当該終了時刻に最も近い入力時刻を入力時刻サブフィールド２３１１２に登録するレコードが選定されて良い。あるいは、さらに、介護士ＩＤとして介護士名が利用され、介護記録情報を画像介護記録情報テーブルＰＴに登録する際に、介護士ＩＤとしての介護士名も介護士ＩＤフィールド２３１２に登録され、前記取り出した１組の介護士ＩＤ、カメラＩＤ、開始時刻および終了時刻における当該介護士ＩＤを介護士ＩＤフィールド２３１２に登録するレコードが選定されて良い。そして、画像切出記憶処理部２２２１は、この登録した介護士ＩＤ、開始時刻および終了時刻を、これらに紐付けられたカメラＩＤと共に、ＳＶ記憶部２３ｂから消去（削除）する。画像切出記憶処理部２２２１は、このような処理を、ＳＶ管理処理部２２３によってＳＶ記憶部２３ｂに一時的に仮に記憶されている前記互いに紐付けられた１組の介護士ＩＤ、カメラＩＤ、開始時刻および終了時刻が基本的に無くなるまで（全て消去されるまで）繰り返す。
【０１２５】
なお、前記取り出した開始時刻および終了時刻と前記通知タイミングによっては、前記取り出した開始時刻のみを含む元画像ファイル名と前記取り出した終了時刻のみを含む元画像ファイル名とが取り出される場合がある。この場合には、画像切出記憶処理部２２２１は、前記開始時刻のみを含む元画像ファイル名を持つ元画像から、前記開始時刻から前記元画像の終了までを切り出し、前記終了時刻のみを含む元画像ファイル名を持つ元画像から、その先頭から前記終了時刻までを切り出し、これらを連結して新たな画像を生成する。この場合では、通知タイミングと切出タイミングとの関係によっては、前記切出タイミングの時点で、前記取り出した終了時刻のみを含む元画像ファイル名を持つ元画像が元画像記憶部２３２に記憶されていない場合が有り得る。この場合には、元画像から前記画像を切り出さず、かつ、ＳＶ記憶部２３ｂに一時的に仮に記憶されている前記互いに紐付けられた１組の介護士ＩＤ、カメラＩＤ、開始時刻および終了時刻を消去せずに、次回の切出タイミングに、ＳＶ記憶部２３ｂに一時的に仮に記憶されている前記互いに紐付けられた１組の介護士ＩＤ、カメラＩＤ、開始時刻および終了時刻が持ち越される（一時的に記憶された状態が維持される）。
【０１２６】
次に、本実施形態の動作について説明する。図１１は、一例として、前記被監視者監視支援システムにおける画像と介護との記録に関する第２実施形態の動作を示すシーケンス図である。図１２は、図１１に示す動作におけるＳＶ入出状況情報テーブルの変遷を説明するための図である。図１２には、紙面左側から紙面右側へ順に、時刻ｔ２１、時刻ｔ２２および時刻ｔ２３それぞれの各ＳＶ入出状況情報テーブルＭＴｂ−ｔ２１、ＭＴｂ−ｔ２２、ＭＴｂ−ｔ２３が示されている。
【０１２７】
上記構成の被監視者監視支援システムＭＳｂでは、各装置ＣＵｂ、ＳＶｂ、ＴＡｂは、電源が投入されると、必要な各部の初期化を実行し、その稼働を始める。管理サーバ装置ＳＶｂでは、そのＳＶ制御処理プログラムの実行によって、ＳＶ制御処理部２２ｂには、ＳＶ制御部２２１、画像介護記録記憶処理部２２２ｂおよびＳＶ管理処理部２２３が機能的に構成され、画像介護記録記憶処理部２２２ｂには、画像切出記憶処理部２２２１、介護記録記憶処理部２２２２および元画像記憶処理部２２２３が機能的に構成される。そして、携帯端末装置ＴＡｂでは、そのＴＡ制御処理プログラムの実行によって、ＴＡ制御処理部３２ｂには、ＴＡ制御部３２１、ＴＡ生成部３２３および読取通知処理部３２４が機能的に構成される。
【０１２８】
そして、被監視者監視支援システムＭＳｂは、次のような画像と介護との記録に関する第２実施形態の動作によって各撮像装置ＣＵｂ−１〜ＣＵｂ−３から各画像を収集し、各画像を記録（記憶）する。ここで、以下の説明において、一例として、その当初では、例えばログイン操作の際に、介護士ＮＳ−１が携帯する携帯端末装置ＴＡａ−１には、介護士ＩＤ；「ＩＤ−ＮＡ」が入力され、介護士ＩＤ；「ＩＤ−ＮＡ」が予め記憶されているものとする。そして、居室ＲＭ−１には、介護士ＮＳが在室せず、ＳＶ入出状況情報記憶部２３３に記憶されているＳＶ入出状況情報テーブルＭＴｂ−ｔ２１には、図１２の紙面左側に示すように、介護士ＩＤが登録（記憶）されていないものとする。
【０１２９】
図１１において、例えば所定の介護のために、介護士ＮＳ−１は、被監視者Ｏｂの居室ＲＭ−１に入室する際に、その携行している携帯端末装置ＴＡｂ−１を、前記居室ＲＭ−１に対応して設けられたＩＤ装置ＲＤｂ−１に近接させ、カメラＩＤ（第２特定情報）を読み取らせる読み取り操作を行う（Ｃ１１１）。
【０１３０】
携帯端末装置ＴＡｂ−１とＩＤ装置ＲＤｂ−１とは、互いに近接されると、携帯端末装置ＴＡｂ−１は、ＴＡ制御処理部３２ｂの読取通知処理部３２４によって、ＩＤ装置ＲＤｂ−１から第２特定情報としてカメラＩＤ；「ＣＵ−１」を読み取る（Ｃ１１２）。
【０１３１】
続いて、携帯端末装置ＴＡｂ−１は、読取通知処理部３２４によって、ＴＡ記憶部３３の介護士ＩＤ情報記憶部３３１に第１特定情報として記憶されている介護士ＩＤ；「ＩＤ−ＮＡ」を取り出し、処理Ｃ１１２で読み取ったカメラＩＤ；「ＣＵ−１」および前記取り出した介護士ＩＤ；「ＩＤ−ＮＡ」を互いに紐付けて紐付け情報を生成し、この生成した紐付け情報および現在の時刻を収容する紐付け情報通知通信信号を管理サーバ装置ＳＶｂ宛に生成し、この生成した紐付け情報通知通信信号をＴＡ通信ＩＦ部３１で送信する（Ｃ１１３）。
【０１３２】
携帯端末装置ＴＡｂ−１から紐付け情報通知通信信号を受信すると、管理サーバ装置ＳＶｂは、監視領域に対する介護士ＮＳの入出状況を処理するために、ＳＶ制御処理部２２ｂのＳＶ管理処理部２２３によって、携帯端末装置ＴＡｂ−１から送信されたカメラＩＤ；「ＣＵ−１」および介護士ＩＤ；「ＩＤ−ＮＡ」を管理する（Ｃ１１４）。より具体的には、ＳＶ管理処理部２２３は、まず、この受信した紐付け情報通知通信信号に収容された紐付け情報のカメラＩＤ；「ＣＵ−１」を、ＳＶ入出状況情報記憶部２３３に記憶されているＳＶ入出状況情報テーブルＭＴｂのカメラＩＤフィールド２３３１に登録するレコードを選定（検索）する。次に、ＳＶ管理処理部２２３は、この選定したレコードにおける介護士ＩＤフィールド２３３２に、前記受信した紐付け情報通知通信信号に収容された紐付け情報の介護士ＩＤ；「ＩＤ−ＮＡ」が登録されているか否かを調べる。ＳＶ管理処理部２２３は、この選定したレコードにおける介護士ＩＤフィールド２３３２に、前記受信の介護士ＩＤ；「ＩＤ−ＮＡ」が登録されていない場合には、前記選定したレコードにおける介護士ＩＤフィールド２３３２に、前記受信の介護士ＩＤ；「ＩＤ−ＮＡ」を登録する。一方、ＳＶ管理処理部２２３は、前記選定したレコードにおける介護士ＩＤフィールド２３４２に、前記受信の介護士ＩＤ；「ＩＤ−ＮＡ」が登録されている場合には、前記選定したレコードにおける介護士ＩＤフィールド２３４２から介護士ＩＤを削除（消去）する。
【０１３３】
図１２に示す例では、携帯端末装置ＴＡｂ−１から紐付け情報通知通信信号でカメラＩＤ；「ＣＵ−１」および介護士ＩＤ；「ＩＤ−ＮＡ」を受信すると、ＳＶ入出状況情報記憶部２３３に記憶されているＳＶ入出状況情報テーブルＭＴｂ−ｔ２１において、この受信したカメラＩＤ；「ＣＵ−１」をカメラＩＤフィールド２３３１に登録するレコードにおける介護士ＩＤフィールド２３３２に、前記受信した介護士ＩＤ；「ＩＤ−ＮＡ」が登録されていないので、ＳＶ管理処理部２２３は、前記介護士ＩＤフィールド２３３２に、前記受信した介護士ＩＤ；「ＩＤ−ＮＡ」を登録する。これによって図１２の紙面左側に示すＳＶ入出状況情報テーブルＭＴｂ−ｔ２１からその紙面中央に示すＳＶ入出状況情報テーブルＭＴｂ−ｔ２２となり、ＳＶ入出状況情報記憶部２３３には、カメラＩＤ；「ＣＵ−１」をカメラＩＤフィールド２３３１に登録したレコードにおける介護士ＩＤフィールド２３３２に介護士ＩＤ；「ＩＤ−ＮＡ」を登録したＳＶ入出状況情報テーブルＭＴｂ−ｔ２２が記憶される。
【０１３４】
続いて、ＳＶ入出状況情報テーブルＭＴｂ−ｔ２２が更新されると、ＳＶ管理処理部２２３は、前記受信した紐付け情報をＳＶ記憶部２３ｂに一時的に仮に記憶する（Ｃ１１５）。より具体的には、介護士ＩＤフィールド２３３２に介護士ＩＤが１つも無い状態から介護士ＩＤを登録した場合、ＳＶ管理処理部２２３は、前記受信した紐付け情報通知通信信号に収容された時刻を開始時刻として、前記登録した介護士ＩＤ、紐付け情報でこの介護士ＩＤに紐付けられたカメラＩＤおよび前記開始時刻を互いに紐付けてＳＶ記憶部２３ｂに一時的に仮に記憶する。介護士ＩＤフィールド２３３２に介護士ＩＤが有る状態から介護士ＩＤをさらに登録した場合、ＳＶ管理処理部２２３は、前記介護士ＩＤフィールド２３３２に登録された介護士ＩＤを、既にＳＶ記憶部２３ｂに仮に記憶された前記互いに紐付けられた介護士ＩＤ、カメラＩＤおよび開始時刻にさらに紐付けてＳＶ記憶部２３ｂに一時的に仮に記憶する。前記介護士ＩＤフィールド２３３２に介護士ＩＤが少なくとも１つ有る状態から介護士ＩＤが１つも無くなった場合、ＳＶ管理処理部２２３は、この登録から削除した介護士ＩＤの紐付け情報を収容した紐付け情報通知通信信号に収容された時刻を終了時刻として、この終了時刻を、既にＳＶ記憶部２３ｂに仮に記憶された前記互いに紐付けられた介護士ＩＤ、カメラＩＤおよび開始時刻にさらに紐付けてＳＶ記憶部２３ｂに一時的に仮に記憶する。
【０１３５】
図１２に示す例では、介護士ＩＤフィールド２３３２に介護士ＩＤが１つも無い状態から介護士ＩＤを登録した場合であるので、ＳＶ管理処理部２２３は、前記受信した紐付け情報通知通信信号に収容された時刻を開始時刻として、前記登録した介護士ＩＤ、紐付け情報でこの介護士ＩＤに紐付けられたカメラＩＤおよび前記開始時刻を互いに紐付けてＳＶ記憶部２３ｂに一時的に仮に記憶する。
【０１３６】
そして、例えば前記介護の終了によって、前記居室ＲＭ−１に在室している介護士ＮＳ−１は、退出する際に、その携行している携帯端末装置ＴＡｂ−１を、前記居室ＲＭ−１に対応して設けられたＩＤ装置ＲＤｂ−１に近接させ、カメラＩＤを読み取らせる読み取り操作を行う（Ｃ１２１）。
【０１３７】
携帯端末装置ＴＡｂ−１とＩＤ装置ＲＤｂ−１とは、互いに近接されると、上述の処理Ｃ１１２と同様に、携帯端末装置ＴＡｂ−１は、ＩＤ装置ＲＤｂ−１から第２特定情報としてカメラＩＤ；「ＣＵ−１」を読み取る（Ｃ１２２）。
【０１３８】
続いて、携帯端末装置ＴＡｂ−１は、上述の処理Ｃ１１３と同様に、記憶されている介護士ＩＤ；「ＩＤ−ＮＡ」を取り出し、処理Ｃ１２２で読み取ったカメラＩＤ；「ＣＵ−１」および前記取り出した介護士ＩＤ；「ＩＤ−ＮＡ」を互いに紐付けて紐付け情報を生成し、この生成した紐付け情報および現在の時刻を収容する紐付け情報通知通信信号を管理サーバ装置ＳＶｂへ送信する（Ｃ１２３）。
【０１３９】
携帯端末装置ＴＡｂ−１から紐付け情報知通信信号を受信すると、管理サーバ装置ＳＶｂは、上述の処理Ｃ１１４と同様に、ＳＶ管理処理部２２３によって、携帯端末装置ＴＡｂ−１から送信されたカメラＩＤ；「ＣＵ−１」および介護士ＩＤ；「ＩＤ−ＮＡ」を管理する（Ｃ１２４）。
【０１４０】
図１３に示す例では、携帯端末装置ＴＡｂ−１から紐付け情報通知通信信号でカメラＩＤ；「ＣＵ−１」および介護士ＩＤ；「ＩＤ−ＮＡ」を受信すると、ＳＶ入出状況情報記憶部２３３に記憶されているＳＶ入出状況情報テーブルＭＴｂ−ｔ２２において、この受信したカメラＩＤ；「ＣＵ−１」をカメラＩＤフィールド２３３１に登録するレコードにおける介護士ＩＤフィールド２３３２に、前記受信した介護士ＩＤ；「ＩＤ−ＮＡ」が登録されているので、ＳＶ管理処理部２２３は、前記介護士ＩＤフィールド２３３２から、前記受信した介護士ＩＤ；「ＩＤ−ＮＡ」を削除（消去）する。これによって図１２の紙面中央に示すＳＶ入出状況情報テーブルＭＴｂ−ｔ２２からその紙面右側に示すＳＶ入出状況情報テーブルＭＴｂ−ｔ２３となり、ＳＶ入出状況情報記憶部２３３には、カメラＩＤ；「ＣＵ−１」をカメラＩＤフィールド２３３１に登録したレコードにおける介護士ＩＤフィールド２３３２に介護士ＩＤの登録の無いＳＶ入出状況情報テーブルＭＴｂ−ｔ２３が記憶される。
【０１４１】
続いて、ＳＶ入出状況情報テーブルＭＴｂ−ｔ２３が更新されると、ＳＶ管理処理部２２３は、上述の処理Ｃ１１５と同様に、前記受信した紐付け情報をＳＶ記憶部２３ｂに一時的に仮に記憶する（Ｃ１２５）。
【０１４２】
図１２に示す例では、前記介護士ＩＤフィールド２３３２に介護士ＩＤが少なくとも１つ有る状態から介護士ＩＤが１つも無くなった場合であるので、ＳＶ管理処理部２２３は、この登録から削除した介護士ＩＤの紐付け情報を収容した紐付け情報通知通信信号に収容された時刻を終了時刻として、この終了時刻を、既にＳＶ記憶部２３ｂに仮に記憶された前記互いに紐付けられた介護士ＩＤ、カメラＩＤおよび開始時刻にさらに紐付けてＳＶ記憶部２３ｂに一時的に仮に記憶する。
【０１４３】
このような動作によって監視領域に対し入退場した介護士ＮＳに関する紐付け情報が開始時刻および終了時刻と共にＳＶ記憶部２３ｂに一時的に仮に記憶され、蓄積されて行く。
【０１４４】
前記居室ＲＭ−１から退室すると、介護士ＮＳ−１は、上述の処理Ｃ３１と同様に、所定の入力操作によって介護記録情報入力画面をＴＡ表示部３６に表示させ、ＴＡ入力部３５から、カメラＩＤおよび介護記録情報を入力し、この入力した介護記録情報を管理サーバ装置ＳＶｂへ送信する指示をＴＡ入力部３５から入力する（Ｃ１３１）。
【０１４５】
これらカメラＩＤ、介護記録情報および前記送信の指示をＴＡ入力部３５で受け付けると、携帯端末装置ＴＡｂは、上述の処理Ｃ３２と同様に、ＴＡ制御処理部３２ｂのＴＡ生成部３２３によって、紐付け介護記録情報を管理サーバ装置ＳＶｂへ送信する（Ｃ１３２）。
【０１４６】
携帯端末装置ＴＡｂから紐付け介護記録情報の通知を受けると（携帯端末装置ＴＡｂから紐付け介護記録通情報知通信信号を受信すると）、管理サーバ装置ＳＶｂは、画像介護記録記憶処理部２２２ｂの介護記録記憶処理部２２２２によって、紐付け介護記録情報の介護記録情報を記憶（記録）する（Ｃ１３３）。より具体的には、介護記録記憶処理部２２２２は、画像介護記録記憶部２３１ｂに記憶されている画像介護記録情報テーブルＰＴから、前記受信した紐付け介護記録情報通知通信信号に収容された紐付け介護記録情報のカメラＩＤに対応する画像介護記録情報テーブルＰＴを選定（検索）する。次に、介護記録記憶処理部２２２２は、この選定した前記紐付け介護記録情報のカメラＩＤに対応する画像介護記録情報テーブルＰＴに新たにレコードを作成し、この新たに作成したレコードにおける介護記録フィールド２３１１に、前記受信した紐付け介護記録情報通知通信信号に収容された紐付け介護記録情報の介護記録情報を登録する。
【０１４７】
このような動作によって各撮像装置ＣＵｂそれぞれに対応する各画像介護記録情報テーブルＰＴに介護記録情報が登録（記憶、記録）され、蓄積されて行く。
【０１４８】
一方、撮像装置ＣＵｂは、カメラ１１によって撮像対象を常時撮像して画像を生成し、この生成した画像をＣＵ記憶部１４ｂに一時的に記憶し、蓄積して行く。通知タイミングになると、撮像装置ＣＵｂは、カメラ１１で生成され一時的にＣＵ記憶部１４ｂに記憶した画像（画像データ）、自機のカメラＩＤおよび撮像終了時刻として現在の時刻を収容した画像通知通信信号を生成し、この生成した画像通知通信信号を管理サーバ装置ＳＶｂへ送信する（Ｃ１４１）。
【０１４９】
撮像装置ＣＵｂから画像通知通信信号を受信すると、管理サーバ装置ＳＶｂは、画像介護記録記憶処理部２２２ｂの元画像記憶処理部２２２３によって、前記受信した画像通知通信信号に収容された前記画像（画像データ）を、自動的に割り振られた元画像ファイル名を付して元画像記憶部２３２に記憶する。そして、元画像記憶処理部２２２３は、前記元画像ファイル名と、前記受信した画像通知通信信号に収容されたカメラＩＤと、撮像終了時刻としての、前記受信した画像通知通信信号に収容された時刻とを互いに紐付けて元画像記憶部２３２に記憶する（Ｃ１４２）。
【０１５０】
そして、切出タイミングになると、管理サーバ装置ＳＶｂは、画像介護記録記憶処理部２２２ｂの画像切出記憶処理部２２２１によって、元画像から介護士ＮＳの入退場に応じた画像を切り出した前記画像を、前記介護記録情報および介護士ＩＤに紐付けて画像介護記録記憶部２３１ｂに記憶する（Ｃ１５１）。より具体的には、画像切出記憶処理部２２２１は、ＳＶ管理処理部２２３によってＳＶ記憶部２３ｂに一時的に仮に記憶されている前記互いに紐付けられた１組の介護士ＩＤ、カメラＩＤ、開始時刻および終了時刻を取り出し、元画像記憶部２３２から、この取り出したカメラＩＤに紐付けられ、かつ、前記取り出した開始時刻および終了時刻を含む元画像ファイル名を選定する。次に、画像切出記憶処理部２２２１は、この選定した元画像ファイル名を持つ元画像から、前記取り出した開始時刻および終了時刻に相当する部分の画像を切り出して新たな画像（画像データ、元画像の時間的な部分画像）を生成する。次に、画像切出記憶処理部２２２１は、この切り出した前記画像に対し自動的に画像ファイル名を生成し、前記切り出した前記画像を前記生成した画像ファイル名を付して画像介護記録記憶部２３１ｂに記憶する。次に、画像切出記憶処理部２２２１は、画像介護記録記憶部２３１ｂに記憶されている画像介護記録情報テーブルＰＴから、前記取り出した１組の介護士ＩＤ、カメラＩＤ、開始時刻および終了時刻における当該カメラＩＤに対応する画像介護記録情報テーブルＰＴを選定する。そして、画像切出記憶処理部２２２１は、この選定した画像介護記録情報テーブルＰＴから、介護記録フィールド２３１１に介護記録情報が登録され、かつ、介護士フィールド２３１２、画像ファイル名フィールド２３１３、撮像開始時刻フィールド２３１４および撮像終了時刻フィールド２３１５それぞれにデータが登録されていないレコードを選定し、この選定したレコードにおける介護士フィールド２３１２、撮像開始時刻フィールド２３１４および撮像終了時刻フィールド２３１５それぞれに前記取り出した介護士ＩＤ、開始時刻および終了時刻それぞれを登録し、さらに、画像ファイル名フィールド２３１３に前記切り出した画像に付した画像ファイル名を登録する。そして、画像切出記憶処理部２２２１は、この登録した介護士ＩＤ、開始時刻および終了時刻を、これらに紐付けられたカメラＩＤと共に、ＳＶ記憶部２３ｂから消去（削除）する。画像切出記憶処理部２２２１は、このような処理を、ＳＶ管理処理部２２３によってＳＶ記憶部２３ｂに一時的に仮に記憶されている前記互いに紐付けられた１組の介護士ＩＤ、カメラＩＤ、開始時刻および終了時刻が基本的に無くなるまで（全て消去されるまで）繰り返す。
【０１５１】
このような動作によって、被監視者監視支援システムＭＳｂは、各居室ＲＭ−１〜ＲＭ−３に配置された各撮像装置ＣＵｂ−１〜ＣＵｂ−３から各元画像を収集し、各元画像から、各居室ＲＭ−１〜ＲＭ−３に対する介護士ＮＳの入退場に応じて切り出した各画像を生成し、これら各画像に介護記録情報および介護士ＩＤを紐付けて記憶（記録）する。
【０１５２】
そして、所望（目的）の介護士ＮＳに対する画像を抽出する場合には、第１実施形態における被監視者監視支援システムＭＳａと同様に、例えば前記介護士ＮＳの上司等のオペレータは、ＳＶ入力部２４から検索キーとして前記所望の介護士ＮＳに対応する介護士ＩＤを入力し、検索開始の指示を入力し、管理サーバ装置ＳＶｂは、これに応じて画像をＳＶ出力部２５に再生表示する。これによって前記オペレータは、所望の介護士ＮＳに対する画像を参照でき、前記介護士ＮＳが監視領域の居室ＲＭに赴いたか否かを確認できる。
【０１５３】
以上説明したように、第２実施形態における被監視者監視支援システムＭＳｂおよびこれに実装された被監視者監視支援方法は、前記監視者ＮＳの一例としての介護士ＮＳが監視領域に入場すると、前記第１および第２特定情報のうちの一方の特定情報（本実施形態では第２特定情報としてのカメラＩＤ）を読み取って他方の特定情報（本実施形態では第１特定情報としての介護士ＩＤ）に紐付けることによって前記第１および第２特定情報を互いに紐付けた紐付け情報を生成し、前記第２特定情報の入力を受け付け、監視記録情報の一例としての介護記録情報の入力を受け付けると、前記受け付けた第２特定情報と前記受け付けた介護記録情報とを互いに紐付けて紐付け介護記録情報を生成し、一方、撮像装置ＣＵｂら画像とその第２特定情報とを得る。そして、上記被監視者監視支援システムＭＳｂおよび被監視者監視支援方法は、前記画像と共に撮像装置ＣＵｂから受信した前記第２特定情報、前記撮像装置ＣＵｂからの紐付け情報、および、携帯端末装置ＴＡｂからの紐付け介護記録情報に基づいて、前記撮像装置ＣＵｂからの画像を、前記介護記録情報と前記第１特定情報とに紐付けて画像介護記録記憶部２３１ｂに記憶する。したがって、上記被監視者監視支援システムＭＳｂおよび被監視者監視支援方法は、所望の介護士ＮＳが記録した介護記録に対する、例えば介護等の状況を直接的に示す画像を記憶できる。しかも、介護士ＮＳの読取操作という低負担な操作で、前記画像が記憶できる。また監視記録が介護記録である場合では、同一の介護種別における時系列な複数の前記画像を蓄積することで、被介護者Ｏｂの時間変化の様子も認識できる。
【０１５４】
次に、別の実施形態について説明する。
【０１５５】
（第３実施形態）
図１３は、前記被監視者監視支援システムにおける第３実施形態の撮像装置の構成を示す図である。
【０１５６】
これら上述の第１および第２実施形態における被監視者監視支援システムＭＳａ、ＭＳｂでは、ＩＤ装置ＲＤａ、ＲＤｂと携帯端末装置ＴＡａ、ＴＡｂとが互いに近接されることで監視領域に対する監視者ＮＳの入退場が判定されたが、第３実施形態における被監視者監視支援システムＭＳｃでは、センサで監視領域に対する監視者ＮＳの入退場が判定されるものである。このような第３実施形態における被監視者監視支援システムＭＳｃは、これら上述の第１および第２実施形態における被監視者監視支援システムＭＳａ、ＭＳｂをベースに構成できる。ここでは、一例として、第１実施形態における被監視者監視支援システムＭＳａをベースに構成した第３実施形態における被監視者監視支援システムＭＳｃについて、以下に説明する。なお、第２実施形態における被監視者監視支援システムＭＳｂをベースに第３実施形態における被監視者監視支援システムＭＳｃも以下と同様に構成できる。
【０１５７】
このような被監視者監視支援システムＭＳｃは、例えば、図１示すように、第１実施形態における被監視者監視支援システムＭＳａと同様に、１または複数の撮像装置ＣＵｃ（ＣＵｃ−１〜ＣＵｃ−３）と、１または複数のＩＤ装置ＲＤｃ（ＲＤｃ−１〜ＲＤｃ−３）と、管理サーバ装置ＳＶｃと、１または複数の携帯端末装置ＴＡｃ（ＴＡｃ−１、ＴＡｃ−２）と、構内交換機ＣＸとを備え、これらは、ネットワークＮＷを介して通信可能に接続される。これら第３実施形態の被監視者監視支援システムＭＳｃにおけるＩＤ装置ＲＤｃ、管理サーバ装置ＳＶｃ、携帯端末装置ＴＡｃおよび構内交換機ＣＸは、それぞれ、第１実施形態の被監視者監視支援システムＭＳａにおけるＩＤ装置ＲＤａ、管理サーバ装置ＳＶａ、携帯端末装置ＴＡａおよび構内交換機ＣＸと同様であるので、その説明を省略する。
【０１５８】
撮像装置ＣＵｃは、第１実施形態の撮像装置ＣＵａと同様に、監視領域に対応して設けられ、ネットワークＮＷを介して管理サーバ装置ＳＶｃと通信する通信機能等を備え、前記監視領域の画像を生成する装置である。そして、本実施形態では、撮像装置ＣＵｃは、後述の入退場検知部１５の検知結果にさらに基づいて監視領域に対する監視者ＮＳの入出状況を管理し、予め自機の第２特定情報を持ち、前記生成した画像を前記自機の第２特定情報と共に管理サーバ装置ＳＶｂへ出力（送信）する。このような撮像装置ＣＵｃは、例えば、図１３に示すように、カメラ１１と、ＣＵ制御処理部１２ｃと、ＣＵ通信ＩＦ部１３と、ＣＵ記憶部１４ｃと、入退場検知部１５とを備える。これら第３実施形態の撮像装置ＣＵｃにおけるカメラ１１、ＣＵ通信ＩＦ部１３およびＣＵ記憶部１４ｃは、それぞれ、第１実施形態の撮像装置ＣＵａにおけるカメラ１１、ＣＵ通信ＩＦ部１３およびＣＵ記憶部１４ａと同様であるので、その説明を省略する。したがって、ＣＵ記憶部１４ｃには、ＣＵ入出状況情報記憶部１４１ａと同様のＣＵ入出状況情報記憶部１４１ｃを機能的に備える。
【０１５９】
入退場検知部１５は、ＣＵ制御処理部１２ｃに接続され、ＣＵ制御処理部１２ｃの制御に従って、監視領域に対する入退場の有無を検知するものである。入退場検知部１５は、その検知結果をＣＵ制御処理部１２ｃへ出力する。入退場検知部１５は、例えば、前記監視領域の境界（例えば前記居室ＲＭの出入口等）に、所定の高さ位置に入退場方向に沿って並置するように配設された複数の発光部と、前記複数の発光部から前記入退場方向と直交する直交方向で所定の幅（例えば人幅以上の長さや記居室ＲＭの出入口の幅等）で離間するように、かつ、前記複数の発光部それぞれから発光された各光をそれぞれ受光するように配設された複数の受光部と、前記複数の受光部それぞれの各受光結果に応じて前記監視領域に対する入退場の有無を判定する入退場判定部とを備えて構成される。このような構成では、入退場判定部は、前記複数の受光部から入場方向に沿って順次に受光出力が得られると入場と判定し、前記複数の受光部から退場方向に沿って順次に受光出力が得られると退場と判定する。
【０１６０】
なお、監視領域に対する監視者ＮＳの入場のみを管理し、撮像開始から所定の時間の経過後に、撮像を終了する場合には、入退場検知部１５は、例えば、監視領域の境界（例えば前記居室ＲＭの出入口等）に配置され、前記監視領域（例えば前記居室ＲＭ等）を検知領域とする赤外線型人感センサと、前記赤外線型人感センサの検知結果に応じて前記監視領域内への入場の有無を判定する入場判定部とを備えて構成されても良い。
【０１６１】
ＣＵ制御処理部１２ｃは、第１実施形態におけるＣＵ制御処理部１２ａと同様に、撮像装置ＣＵｃの各部１１、１３、１４ｃを当該各部の機能に応じてそれぞれ制御し、前記撮像対象を撮像して画像を生成し、この生成した画像を、管理サーバ装置ＳＶｃへ通知するための回路である。そして、ＣＵ制御処理部１２ｃは、入退場検知部１５の検知結果にさらに基づいて監視領域に対する監視者ＮＳの入出状況を管理し、前記生成した画像を管理サーバ装置ＳＶｃへ通知する際に、ＣＵ記憶部１４ｃに予め記憶された自機の第２特定情報と共に、前記生成した画像を管理サーバ装置ＳＶｃへ通知する。ＣＵ制御処理部１２ｃは、例えば、ＣＰＵおよびその周辺回路を備えて構成される。ＣＵ制御処理部１２ｃは、そのＣＵ制御処理プログラムが実行されることによって、ＣＵ制御部１２１、ＣＵ生成部１２２ｃおよび撮像制御部１２３を機能的に備える。これら第３実施形態のＣＵ制御処理部１２ｃにおけるＣＵ制御部１２１および撮像制御部１２３は、それぞれ、第１実施形態のＣＵ制御処理部１２ａにおけるＣＵ制御部１２１および撮像制御部１２３と同様であるので、その説明を省略する。
【０１６２】
ＣＵ生成部１２２ｃは、監視者ＮＳが監視領域（本実施形態では前記居室ＲＭ）に入退場（入室、退室）する際にＩＤ装置ＲＤｃによって第１特定情報（本実施形態では監視者ＩＤの一例である介護士ＩＤ）を読み取って入退場検知部１５で入退場を検知した場合に、自機の第２特定情報（本実施形態ではカメラＩＤ）とＩＤ装置ＲＤｃによって読み取った第１特定情報とを互いに紐付けた紐付け情報を生成し、前記生成した紐付け情報を管理サーバ装置ＳＶｃへ出力（送信）するものである。
【０１６３】
本実施形態では、ＣＵ生成部１２２ｃは、監視領域に対する監視者ＮＳの入出状況を管理するためのＣＵ管理処理部１２２１ｃと、紐付け情報を生成して送信するための通知処理部１２２２とを機能的に備える。第３実施形態の生成部１２２ｃにおける通知処理部１２２２は、第１実施形態の生成部１２２ｃにおける通知処理部１２２２と同様であるので、その説明を省略する。
【０１６４】
ＣＵ管理処理部１２２１ｃは、入退場検知部１５の検知結果に基づきＩＤ装置ＲＤｃで読み取った前記第１特定情報（本実施形態では介護士ＩＤ）を管理するものである。より具体的には、ＣＵ管理処理部１２２１ｃは、ＩＤ装置ＲＤｃで読み取ってＩＤ装置ＲＤｃから介護士ＩＤが通知された場合であって、かつ、入退場検知部１５で入場を検知した場合に、この通知された介護士ＩＤが、ＣＵ入出状況情報記憶部１４１ｃに記憶されているＣＵ入出状況情報テーブルＭＴｃの介護士ＩＤフィールド１４１１（後述の図１５参照）に登録されていない場合には、新たなレコードを生成し、この新たに生成したレコードの介護士ＩＤフィールド１４１１に前記通知された介護士ＩＤを登録する。一方、ＣＵ管理処理部１２２１ｃは、ＩＤ装置ＲＤｃで読み取ってＩＤ装置ＲＤｃから介護士ＩＤが通知された場合であって、かつ、入退場検知部１５で退場を検知した場合に、この通知された介護士ＩＤが、ＣＵ入出状況情報記憶部１４１ｃに記憶されているＣＵ入出状況情報テーブルＭＴｃの介護士ＩＤフィールド１４１１に登録されている場合には、前記通知された介護士ＩＤを登録するレコードを削除する。このようにＣＵ管理処理部１２２１ｃは、介護士ＩＤの記憶の有り無しによって、監視領域に対する介護士ＮＳの入出状況を管理する。
【０１６５】
なお、入退場検知部１５が入場のみを検知する場合には、ＩＤ装置ＲＤｃと携帯端末装置ＴＡｃとが互いに近接され、ＩＤ装置ＲＤｃから介護士ＩＤが通知された場合に、ＣＵ管理処理部１２２１ｃは、この通知された介護士ＩＤが、ＣＵ入出状況情報記憶部１４１ｃに記憶されている前記ＣＵ入出状況情報テーブルＭＴｃの介護士ＩＤフィールド１４１１に登録されている場合には、前記通知された介護士ＩＤを登録するレコードを削除すれば良い。
【０１６６】
次に、本実施形態の動作について説明する。図１４は、一例として、前記被監視者監視支援システムにおける画像と介護との記録に関する第３実施形態の動作を示すシーケンス図である。図１５は、図１１に示す動作におけるＳＶ入出状況情報テーブルの変遷を説明するための図である。図１５には、紙面左側から紙面右側へ順に、時刻ｔ３１、時刻ｔ３２、時刻ｔ３３および時刻ｔ３４それぞれの各ＣＵ入出状況情報テーブルＭＴｃ−ｔ３１、ＭＴｃ−ｔ３２、ＭＴｃ−ｔ３３、ＭＴｃ−ｔ３４が示されている。
【０１６７】
上記構成の被監視者監視支援システムＭＳｃでは、各装置ＣＵｃ、ＲＤｃ、ＳＶｃ、ＴＡｃは、電源が投入されると、必要な各部の初期化を実行し、その稼働を始める。撮像装置ＣＵｃでは、そのＣＵ制御処理プログラムの実行によって、ＣＵ制御処理部１２ｃには、ＣＵ制御部１２１、ＣＵ生成部１２２ｃおよび撮像制御部１２３が機能的に構成され、ＣＵ生成部１２２ｃには、ＣＵ管理処理部１２２１ｃおよび通知処理部１２２２が機能的に構成される。管理サーバ装置ＳＶｃおよび携帯端末装置ＴＡｃでは、第１実施形態と同様である。
【０１６８】
そして、被監視者監視支援システムＭＳｃは、次のような画像と介護との記録に関する第３実施形態の動作によって各撮像装置ＣＵｃ−１〜ＣＵｃ−３から各画像を収集し、各画像を記録する。ここで、以下の説明において、一例として、その当初では、介護士ＮＳ−１が携帯する携帯端末装置ＴＡｃ−１には、例えばログイン操作の際に、介護士ＩＤ；「ＩＤ−ＮＡ」が入力され、介護士ＩＤ；「ＩＤ−ＮＡ」が予め記憶されて、介護士ＮＳ−２が携帯する携帯端末装置ＴＡｃ−２には、例えばログイン操作の際に、介護士ＩＤ；「ＩＤ−ＮＢ」が入力され、介護士ＩＤ；「ＩＤ−ＮＢ」が予め記憶されているものとする。そして、居室ＲＭ−１には、介護士ＮＳが在室せず、ＣＵ入出状況情報記憶部１４１ｃに記憶されているＣＵ入出状況情報テーブルＭＴｃ−ｔ３１には、図１５の紙面左側に示すように、介護士ＩＤが登録（記憶）されていないものとする。
【０１６９】
図１４において、例えば所定の介護のために、介護士ＮＳ−１は、被監視者Ｏｂ−１の居室ＲＭ−１に入室する際に、その携行している携帯端末装置ＴＡｃ−１を、前記居室ＲＭ−１に対応して設けられたＩＤ装置ＲＤｃ−１に近接させ、介護士ＩＤを読み取らせる読み取り操作を行う（Ｃ２１１）。
【０１７０】
携帯端末装置ＴＡｃ−１とＩＤ装置ＲＤｃ−１とは、互いに近接されると、上述の処理Ｃ１２と同様に、携帯端末装置ＴＡｃ−１は、その記憶されている介護士ＩＤ；「ＩＤ−ＮＡ」をＴＡＩＦ部３７で送信し、ＩＤ装置ＲＤｃ−１は、携帯端末装置ＴＡｃ−１から送信された介護士ＩＤ；「ＩＤ−ＮＡ」を受信し、これによって介護士ＩＤ；「ＩＤ−ＮＡ」を携帯端末装置ＴＡｃ−１から読み取る（Ｃ２１２）。
【０１７１】
続いて、ＩＤ装置ＲＤｃ−１は、上述の処理Ｃ１３と同様に、携帯端末装置ＴＡｃ−１から読み取った介護士ＩＤ；「ＩＤ−ＮＡ」を、前記居室ＲＭ−１に設けられた撮像装置ＣＵｃ−１へ通知する（Ｃ２１３）。
【０１７２】
ここで、介護士ＮＳ−１は、上述のように携帯端末装置ＴＡｃ−１とＩＤ装置ＲＤｃ−１とを互いに近接させたが、例えば急な呼び出し等によって、前記居室ＲＭ−１に入室（入場）せずに、前記居室ＲＭ−１から離れると、入退場検知部１５が介護士ＮＳ−１の入場を検知せず、入退場検知部１５から入場の検知結果がＣＵ制御処理部１２ｃへ出力されない。このため、撮像装置ＣＵｃ−１は、以降の処理を行わない。このため、図１５に示す例では、ＩＤ装置ＲＤｃ−１から介護士ＩＤ；「ＩＤ−ＮＡ」の通知を受けても、図１５の紙面左側に示すＣＵ入出状況情報テーブルＭＴｃ−ｔ３１は、図１５の紙面左から２番目に示すＣＵ入出状況情報テーブルＭＴｃ−ｔ３２のように、変わらず、ＣＵ入出状況情報記憶部１４１ｃには、介護士ＩＤの登録の無いＳＵ入出状況情報テーブルＭＴｃ−ｔ３２が記憶される（ＭＴｃ−ｔ３１＝ＭＴｃ−ｔ３２）。したがって、撮像装置ＣＵｃ−１による撮像は、開始されない。なお、撮像装置ＣＵｃは、ＩＤ装置ＲＤｃから介護士ＩＤが通知されてから、予め設定された所定の時間以内（例えば５秒以内や１０秒以内等）に、入退場検知部１５から入場または退場の検知結果が通知されない場合に、今回の処理を終了しても良い。
【０１７３】
そこに、例えば所定の介護のために、介護士ＮＳ−２は、被監視者Ｏｂ−１の居室ＲＭ−１に入室する際に、その携行している携帯端末装置ＴＡｃ−２を、前記居室ＲＭ−１に対応して設けられたＩＤ装置ＲＤｃ−１に近接させ、介護士ＩＤを読み取らせる読み取り操作を行う（Ｃ２２１）。
【０１７４】
携帯端末装置ＴＡｃ−２とＩＤ装置ＲＤｃ−１とは、互いに近接されると、上述の処理Ｃ１２と同様に、携帯端末装置ＴＡｃ−２は、その記憶されている介護士ＩＤ；「ＩＤ−ＮＢ」をＴＡＩＦ部３７で送信し、ＩＤ装置ＲＤｃ−１は、携帯端末装置ＴＡｃ−２から送信された介護士ＩＤ；「ＩＤ−ＮＢ」を受信し、これによって介護士ＩＤ；「ＩＤ−ＮＢ」を携帯端末装置ＴＡｃ−２から読み取る（Ｃ２２２）。
【０１７５】
続いて、ＩＤ装置ＲＤｃ−１は、上述の処理Ｃ１３と同様に、携帯端末装置ＴＡｃ−２から読み取った介護士ＩＤ；「ＩＤ−ＮＢ」を、前記居室ＲＭ−１に設けられた撮像装置ＣＵｃ−１へ通知する（Ｃ２２３）。
【０１７６】
介護士ＮＳ−２が前記居室ＲＭ−１に入室すると、入退場検知部１５は、介護士ＮＳ−２の入場を検知し、入場の検知結果をＣＵ制御処理部１１２ｃへ出力する（Ｃ２２４）。
【０１７７】
ＩＤ装置ＲＤｃ−１から介護士ＩＤ；「ＩＤ−ＮＢ」の通知を受け、かつ、入退場検知部１５から入場の検知結果を受けると、撮像装置ＣＵｃ−１は、前記居室ＲＭ−１に対する介護士ＮＳの入出状況を処理するために、ＣＵ制御処理部１２ｃにおけるＣＵ生成部１２２ｃのＣＵ管理処理部１２２１ｃによって、ＩＤ装置ＲＤｃ−１から通知された介護士ＩＤ；「ＩＤ−ＮＢ」を管理する（Ｃ２２５）。より具体的には、この通知された介護士ＩＤ；「ＩＤ−ＮＢ」が、ＣＵ入出状況情報記憶部１４１ｃに記憶されているＣＵ入出状況情報テーブルＭＴｃの介護士ＩＤフィールド１４１１に登録されていない場合には、ＣＵ管理処理部１２２１ｃは、新たなレコードを生成し、この新たに生成したレコードの介護士ＩＤフィールド１４１１に前記通知された介護士ＩＤ；「ＩＤ−ＮＢ」を登録する。一方、この通知された介護士ＩＤ；「ＩＤ−ＮＢ」が、ＣＵ入出状況情報記憶部１４１ｃに記憶されているＣＵ入出状況情報テーブルＭＴｃの介護士ＩＤフィールド１４１１に登録されている場合には、ＣＵ管理処理部１２２１ｃは、前記通知された介護士ＩＤ；「ＩＤ−ＮＢ」を登録するレコードを削除する。
【０１７８】
図１５に示す例では、ＩＤ装置ＲＤｃ−１から介護士ＩＤ；「ＩＤ−ＮＢ」の通知を受け、かつ、入退場検知部１５から入場の検知結果を受けると、この通知された介護士ＩＤ；「ＩＤ−ＮＢ」が、ＣＵ入出状況情報記憶部１４１ｃに記憶されているＣＵ入出状況情報テーブルＭＴｃ−ｔ３２の介護士ＩＤフィールド１４１１に登録されていないので、ＣＵ管理処理部１２２１ｃは、新たなレコードを生成し、この新たに生成したレコードの介護士ＩＤフィールド１４１１に前記通知された介護士ＩＤ；「ＩＤ−ＮＢ」を登録する。これによって図１５の紙面左から２番目に示すＣＵ入出状況情報テーブルＭＴｃ−ｔ３２からその紙面右から２番目に示すＣＵ入出状況情報テーブルＭＴｃ−ｔ３３となり、ＣＵ入出状況情報記憶部１４１ｃには、介護士ＩＤ；「ＩＤ−ＮＢ」を登録したＣＵ入出状況情報テーブルＭＴｃ−ｔ３３が記憶される。
【０１７９】
続いて、ＣＵ管理処理部１２２１ｃで管理されているＣＵ入出状況情報テーブルＭＴｃ−ｔ３３に、介護士ＩＤ；「ＩＤ−ＮＢ」が有るので、撮像装置ＣＵｃ−１は、撮像を開始するために、撮像制御部１２３によって、撮像を開始させる撮像開始の指示をカメラ１１へ出力する（Ｃ２２６）。カメラ１１は、撮像制御部１２３から前記撮像開始の指示を受けると、撮像を開始し、この撮像によって生成した画像をＣＵ制御処理部１２ｃへ出力し、ＣＵ制御処理部１２ｃは、この画像をＣＵ記憶部１４ｃに一時的に記憶する。これによって撮像対象を撮像した画像（本実施形態では動画）が生成され、ＣＵ記憶部１４ｃに記憶されて行く。
【０１８０】
続いて、処理Ｃ２２５で新たに介護士ＩＤを登録したので、上述の処理Ｃ１６と同様に、撮像装置ＣＵｃ−１は、紐付き情報を通知するために、ＣＵ制御処理部１２ｃにおけるＣＵ生成部１２２ｃの通知処理部１２２２によって、自機のカメラＩＤ；「ＣＵ−１」とＩＤ装置ＲＤｃ−１によって読み取って通知された介護士ＩＤ；「ＩＤ−ＮＢ」とを互いに紐付けた紐付け情報を生成し、この生成した紐付け情報および撮像開始時刻としての現在の時刻を管理サーバ装置ＳＶｃへ通知する（Ｃ２２７）。
【０１８１】
撮像装置ＣＵｃ−１から紐付け情報および撮像開始時刻の通知を受けると、管理サーバ装置ＳＶｃは、上述の処理Ｃ１７と同様に、前記紐付け情報および撮像開始時刻をＳＶ記憶部２３ａに一時的に仮に記憶する（Ｃ２２８）。
【０１８２】
そして、前記介護の終了によって、前記居室ＲＭ−１に在室している介護士ＮＳ−２は、退出する際に、その携行している携帯端末装置ＴＡｃ−２を、前記居室ＲＭ−１に対応して設けられたＩＤ装置ＲＤｃ−１に近接させ、介護士ＩＤ；「ＩＤ−ＮＢ」を読み取らせる読み取り操作を行う（Ｃ２３１）。
【０１８３】
携帯端末装置ＴＡｃ−２とＩＤ装置ＲＤｃ−１とは、互いに近接されると、上述の処理Ｃ１２と同様に、携帯端末装置ＴＡｃ−２は、その記憶されている介護士ＩＤ；「ＩＤ−ＮＢ」をＴＡＩＦ部３７で送信し、ＩＤ装置ＲＤｃ−１は、携帯端末装置ＴＡｃ−２から送信された介護士ＩＤ；「ＩＤ−ＮＢ」を受信し、これによって介護士ＩＤ；「ＩＤ−ＮＢ」を携帯端末装置ＴＡｃ−２から読み取る（Ｃ２３２）。
【０１８４】
続いて、ＩＤ装置ＲＤｃ−１は、上述の処理Ｃ１３と同様に、携帯端末装置ＴＡｃ−２から読み取った介護士ＩＤ；「ＩＤ−ＮＢ」を、前記居室ＲＭ−１に設けられた撮像装置ＣＵｃ−１へ通知する（Ｃ２３３）。
【０１８５】
介護士ＮＳ−２が前記居室ＲＭ−１から退室すると、入退場検知部１５は、介護士ＮＳ−２の退場を検知し、退場の検知結果をＣＵ制御処理部１１２ｃへ出力する（Ｃ２３４）。
【０１８６】
ＩＤ装置ＲＤｃ−１から介護士ＩＤ；「ＩＤ−ＮＢ」の通知を受け、かつ、入退場検知部１５から退場の検知結果を受けると、撮像装置ＣＵｃ−１は、前記居室ＲＭ−１に対する介護士ＮＳの入出状況を処理するために、ＣＵ制御処理部１２ｃにおけるＣＵ生成部１２２ｃのＣＵ管理処理部１２２１ｃによって、ＩＤ装置ＲＤｃ−１から通知された介護士ＩＤ；「ＩＤ−ＮＢ」を管理する（Ｃ２３５）。より具体的には、ここでは、図１５の紙面右から２番目に示すように、この通知された介護士ＩＤ；「ＩＤ−ＮＢ」が、ＣＵ入出状況情報記憶部１４１ｃに記憶されているＣＵ入出状況情報テーブルＭＴｃ−ｔ３３の介護士ＩＤフィールド１４１１に登録されているので、ＣＵ管理処理部１２２１ｃは、前記通知された介護士ＩＤ；「ＩＤ−ＮＢ」を登録するレコードを削除する。これによって図１５の紙面右から２番目に示すＣＵ入出状況情報テーブルＭＴｃ−ｔ３３からその紙面右側に示すＣＵ入出状況情報テーブルＭＴｃ−ｔ３４となり、ＣＵ入出状況情報記憶部１４１ｃには、介護士ＩＤ；「ＩＤ−ＮＢ」を登録したレコードが無くなって、介護士ＩＤを１つも登録しないＣＵ入出状況情報テーブルＭＴｃ−ｔ３４が記憶される。
【０１８７】
続いて、ＣＵ管理処理部１２２１ｃで管理されているＣＵ入出状況情報テーブルＭＴｃ−ｔ３４に、介護士ＩＤが無いので、撮像装置ＣＵｃ−１は、上述の処理Ｃ２５と同様に、撮像を終了するために、撮像制御部１２３によって、撮像を終了させる撮像終了の指示をカメラ１１へ出力する（Ｃ２３６）。カメラ１１は、撮像制御部１２３から前記撮像終了の指示を受けると、撮像を終了する。
【０１８８】
撮像が終了すると、撮像装置ＣＵｃ−１は、上述の処理Ｃ２６と同様に、ＣＵ制御処理部１２ｃによって、ＣＵ記憶部１４ｃに一時的に記憶した前記画像を管理サーバ装置ＳＶｃへ送信する（Ｃ２３７）。より具体的には、ＣＵ制御処理部１２ｃは、ＣＵ記憶部１４ｃに一時的に記憶した前記画像、自機のカメラＩＤ、および、撮像終了時刻としての現在の時刻を収容した画像通知通信信号を管理サーバ装置ＳＶｃへ送信する。
【０１８９】
撮像装置ＣＵｃ−１から前記画像の通知を受けると（撮像装置ＣＵｃ−１から画像通知通信信号を受信すると）、管理サーバ装置ＳＶｃは、上述の処理Ｃ２７と同様に、この受信した画像通知通信信号に収容された画像（画像データ）を、画像ファイル名を付して画像介護記録記憶部２３１ａに記憶し、この画像ファイル名、ならびに、前記受信した画像通知通信信号に収容されたカメラＩＤおよび撮像終了時刻を、ＳＶ記憶部２３ａに一時的に仮に記憶する（Ｃ２３８）。ここでは、前記受信した画像通知通信信号より前に、紐付け介護記録情報通信信号を受信していないので、管理サーバ装置ＳＶｃは、前記一時的に仮に記憶したカメラＩＤに関する紐付け介護記録情報通信信号の受信を待つ。
【０１９０】
前記居室ＲＭ−１から退室すると、介護士ＮＳ−２は、上述の処理Ｃ３１と同様に、所定の入力操作によって介護記録情報入力画面をＴＡ表示部３６に表示させ、ＴＡ入力部３５から、カメラＩＤおよび介護記録情報を入力し、この入力した介護記録情報を管理サーバ装置ＳＶｃへ送信する指示をＴＡ入力部３５から入力する（Ｃ２４１）。
【０１９１】
これらカメラＩＤ、介護記録情報および前記送信の指示をＴＡ入力部３５で受け付けると、携帯端末装置ＴＡｃは、上述の処理Ｃ３２と同様に、紐付け介護記録情報を管理サーバ装置ＳＶｃへ送信する（Ｃ２４２）。
【０１９２】
携帯端末装置ＴＡａから紐付け介護記録情報の通知を受けると（携帯端末装置ＴＡａから紐付け介護記録通情報知通信信号を受信すると）、管理サーバ装置ＳＶｃは、上述の処理Ｃ３２と同様に、紐付け介護記録情報の介護記録情報を記憶（記録）する（Ｃ２４３）。
【０１９３】
このような動作によって、被監視者監視支援システムＭＳｃは、各居室ＲＭ−１〜ＲＭ−３に配置された各撮像装置ＣＵｃ−１〜ＣＵｃ−３から各画像を収集し、各画像に介護記録情報および介護士ＩＤを紐付けて記憶（記録）する。
【０１９４】
そして、所望の介護士ＮＳに対する画像を抽出する場合には、第１実施形態における被監視者監視支援システムＭＳａと同様に、例えば前記介護士ＮＳの上司等のオペレータは、ＳＶ入力部２４から検索キーとして前記所望の介護士ＮＳに対応する介護士ＩＤを入力し、検索開始の指示を入力し、管理サーバ装置ＳＶｃは、これに応じて画像をＳＶ出力部２５に再生表示する。これによって前記オペレータは、所望の介護士ＮＳに対する画像を参照でき、前記介護士ＮＳが監視領域の居室ＲＭに赴いたか否かを確認できる。
【０１９５】
以上説明したように、第３実施形態における被監視者監視支援システムＭＳｃおよびこれに実装された被監視者監視支援方法は、第１実施形態と同様の作用効果を奏する（第２実施形態をベースとする場合には、第２実施形態と同様の作用効果を奏する）。
【０１９６】
監視領域に来たものの、状況の変化によって他の場所に向かう必要が生じた等のために、監視者ＮＳは、ＩＤ装置ＲＤｃに前記一方の特定情報として第１特定情報（上述では介護士ＩＤ）を読み取らせたものの、当該監視領域に入場しない場合も有り得る。上記被監視者監視支援システムＭＳｃおよび被監視者監視支援方法は、入退場検知部１５をさらに備え、入退場検知部１５で入場有りを検知した場合に、前記紐付き情報を管理サーバ装置ＳＶｃへ出力する。このため、監視者ＮＳがＩＤ装置ＲＤｃに前記一方の特定情報を読み取らせたものの、当該監視領域に対し入場しなかった場合、前記紐付き情報が管理サーバ装置ＳＶｃへ出力されない。したがって、上記被監視者監視支援システムＭＳｃおよび被監視者監視支援方法は、撮像装置ＣＵｃ部からの画像に、前記第１特定情報（上述では介護士ＩＤ）を、より適切に紐付けられる。
【０１９７】
また、上述のように、介護士ＮＳは、ＩＤ装置ＲＤｃに前記一方の特定情報を読み取らせたものの、当該監視領域に入場しない場合も有り得る。一方、例えば介護等の作業が終了したと考えて、前記監視者ＮＳは、ＩＤ装置ＲＤｃに前記一方の特定情報を読み取らせたものの、前記作業のやり残しに気づき、当該監視領域から退場しない場合も有り得る。上記被監視者監視支援システムＭＳｃおよび被監視者監視支援方法は、入退場検知部１５をさらに備え、入退場検知部１５で入場有りを検知した場合に、前記撮像開始の指示をカメラ１１へ出力し、入退場検知部１５で退場有りを検知した場合に、前記撮像終了の指示を前記カメラ１１へ出力する。このため、監視者ＮＳがＩＤ装置ＲＤｃに前記一方の特定情報を読み取らせたものの、当該監視領域に対し入退場しなかった場合、前記撮像開始の指示や前記撮像終了の指示が行われない。したがって、上記被監視者監視支援システムＭＳｃおよび被監視者監視支援方法は、より適切に、監視者ＮＳの入退場に応じて画像を記憶（記録）できる。
【０１９８】
なお、これら上述の第１ないし第３実施形態において、被監視者監視支援システムＭＳａ〜ＭＳｃは、監視領域に所在する被監視者Ｏｂに関わる所定のイベントを検知して報知しても良い。より具体的には、撮像装置ＣＵａ〜ＣＵｃは、さらに、被監視者Ｏｂに関わる所定のイベントを検知し、この検知結果を管理サーバ装置ＳＶａ〜ＳＶｃへ送信する。管理サーバ装置ＳＶａ〜ＳＶｃは、撮像装置ＣＵａ〜ＣＵｃから前記検知結果を受信すると、前記検知結果を送信した送信元の撮像装置ＣＵａ〜ＣＵｃの第２特定情報（上述ではカメラＩＤ）と前記検知結果とを互いに紐付けて記憶（記録）して管理し、前記送信元に対応付けられた送信先の携帯端末装置ＴＡａ〜ＴＡｃへ前記検知結果を送信する。携帯端末装置ＴＡａ〜ＴＡｃは、管理サーバ装置ＳＶａ〜ＳＶｃから前記検知結果を受信すると、検知結果を表示する検知画面によって、あるいは、これに代えまたはこれに追加して検知結果を表す報知音によって、前記検知結果を外部に出力する。これによって被監視者Ｏｂに関わる所定のイベントが撮像装置ＣＵａ〜ＣＵｃによって検知され、この検知された前記イベントが管理サーバ装置ＳＶａ〜ＳＶｃを介して所定の携帯端末装置ＴＡａ〜ＴＡｃへ報知される。前記所定のイベント（事象）は、好適には対処が必要な所定のイベントであり、例えば、被監視者Ｏｂにおける予め設定された所定の行動およびナースコールである。このため、前記撮像装置ＣＵａ〜ＣＵｃは、さらに、被監視者Ｏｂのナースコールを受け付けるナースコール入力部をさらに備え、前記ナースコール入力部でナースコールを受け付けると、前記検知結果の１つとしてナースコールを検知した旨を管理サーバ装置ＳＶａ〜ＳＶｃへ送信する。前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。このため、前記撮像装置ＣＵａ〜ＣＵｃは、さらに、被監視者Ｏｂにおける所定の行動を検知する行動検知部をさらに備え、前記行動検知部で前記所定の行動を検知すると、前記検知結果の１つとして前記所定の行動（上述では起床、離床、転落および転倒のうちのいずれか）を検知した旨を管理サーバ装置ＳＶａ〜ＳＶｃへ送信する。撮像装置ＣＵａ〜ＣＵｃは、カメラ１１を備えているので、撮像装置ＣＵａ〜ＣＵｃは、画像から前記所定の行動を検知することが好ましい。例えば、前記行動検知部は、カメラ１１で撮像した画像（対象画像）に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具ＢＤの所在領域および第１ないし第３閾値Ｔｈ１〜Ｔｈ３が予め記憶される。前記第１閾値Ｔｈ１は、寝具ＢＤの所在領域内における横臥姿勢の頭部の大きさと座位姿勢の頭部の大きさとを識別するための閾値である。前記第２閾値Ｔｈ２は、寝具ＢＤの所在領域を除く居室ＲＭ内における立位姿勢の頭部の大きさであるか否かを識別するための閾値である。前記第３閾値Ｔｈ３は、寝具ＢＤの所在領域を除く居室ＲＭ内における横臥姿勢の頭部の大きさであるか否かを識別するための閾値である。そして、前記行動検知部は、まず、対象画像から例えば背景差分法やフレーム差分法によって被監視者Ｏｂの人物の領域として動体領域を抽出する。次に、前記行動検知部は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、前記行動検知部は、この抽出した頭部の位置および大きさから起床、離床、転倒および転落を検知する。例えば、前記行動検知部は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、前記行動検知部は、この抽出した頭部の位置が寝具ＢＤの所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、前記行動検知部は、この抽出した頭部の位置が寝具ＢＤの所在領域内から寝具ＢＤの所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、前記行動検知部は、この抽出した頭部の位置が寝具ＢＤの所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【０１９９】
本明細書は、上記のように様々な態様の技術を開示しているが、そのうち主な技術を以下に纏める。
【０２００】
一態様にかかる被監視者監視支援システムは、監視領域に所在する監視対象の被監視者の監視を支援する被監視者監視支援システムであって、前記監視領域に対応して設けられ、前記監視領域の画像を生成する撮像部と、前記撮像部で生成された画像を記憶する画像記憶部と、前記撮像部で生成された画像を前記画像記憶部に記憶させる画像記憶処理部と、所定の監視者が監視領域に入場する場合に、前記監視者を特定する第１特定情報および前記監視領域に対応する撮像部を特定する第２特定情報のうちの一方の特定情報を読み取る読取部と、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する第１生成部と、前記第２特定情報の入力を受け付け、監視記録情報の入力を受け付けた場合に、前記受け付けた第２特定情報と前記受け付けた監視記録情報とを互いに紐付けて紐付け監視記録情報を生成し、前記生成した紐付け監視記録情報を前記画像記憶処理部へ出力する第２生成部とを備え、前記撮像部は、予め自機の第２特定情報を持ち、前記生成した画像を前記自機の第２特定情報と共に前記画像記憶処理部へ出力し、前記画像記憶処理部は、前記撮像部からの第２特定情報、前記第１生成部からの紐付け情報、および、前記第２生成部からの紐付け監視記録情報に基づいて、前記撮像部からの画像を、前記監視記録情報と前記第１特定情報とに紐付けて前記画像記憶部に記憶する。好ましくは、上述の被監視者監視支システムにおいて、前記読取部は、前記第１特定情報を記憶するＩＣカード（ＲＦタグ）または磁気カードから前記第１特定情報を読み取り、前記読み取った前記第１特定情報を有線通信または無線通信で前記第１生成部へ通知するカードリーダである。好ましくは、上述の被監視者監視支援システムにおいて、前記読取部は、前記第１特定情報を表す１次元コード（バーコード）または２次元コードから前記第１特定情報を読み取り、前記読み取った前記第１特定情報を有線通信または無線通信で前記第１生成部へ通知するコードリーダである。好ましくは、上述の被監視者監視支援システムにおいて、前記読取部は、前記第１特定情報を記憶する携帯電話装置、スマートフォンまたはタブレット端末装置から無線通信で前記第１特定情報を読み取り、前記読み取った前記第１特定情報を有線通信または無線通信で前記第１生成部へ通知するリーダである。好ましくは、上述の被監視者監視支援システムにおいて、前記読取部は、前記第１特定情報を記憶する携帯電話装置、スマートフォンまたはタブレット端末装置から無線通信で前記第１特定情報を読み取り、前記読み取った前記第１特定情報を有線通信または無線通信で前記第１生成部へ通知するタブレット端末装置である。好ましくは、上述の被監視者監視支援システムにおいて、前記読取部は、前記第２特定情報を表す１次元コード（バーコード）または２次元コードから前記第２特定情報を読み取るコードリーダの機能を備える携帯電話装置、スマートフォンまたはタブレット端末装置であり、前記携帯電話装置、スマートフォンまたはタブレット端末装置は、前記第１生成部をさらに備え、前記第１生成部は、前記機能で読み取った前記第２特定情報と予め持っている前記第１特定情報とを互いに紐付けた紐付け情報を生成し、前記生成した紐付け情報を無線通信で前記画像記憶処理部へ出力する。好ましくは、上述の被監視者監視支援システムにおいて、前記読取部は、前記第２特定情報を記憶するＩＣカード（ＲＦタグ）または磁気カードから前記第２特定情報を読み取るカードリーダの機能を備える携帯電話装置、スマートフォンまたはタブレット端末装置であり、前記携帯電話装置、スマートフォンまたはタブレット端末装置は、前記第１生成部をさらに備え、前記第１生成部は、前記機能で読み取った前記第２特定情報と予め持っている前記第１特定情報とを互いに紐付けた紐付け情報を生成し、前記生成した紐付け情報を無線通信で前記画像記憶処理部へ出力する。好ましくは、上述の被監視者監視支援システムにおいて、前記読取部は、前記第２特定情報を記憶するタブレット端末装置から無線通信で前記第２特定情報を読み取る携帯電話装置、スマートフォンまたはタブレット端末装置であり、前記携帯電話装置、スマートフォンまたはタブレット端末装置は、前記第１生成部をさらに備え、前記第１生成部は、前記読み取った前記第２特定情報と予め持っている前記第１特定情報とを互いに紐付けた紐付け情報を生成し、前記生成した紐付け情報を無線通信で前記画像記憶処理部へ出力する。好ましくは、上述の被監視者監視支援システムにおいて、前記第１生成部は、前記読取部で読み取った前記一方の特定情報を管理する管理部と、前記管理部で管理されている前記一方の特定情報が有る場合に、前記紐付け情報を生成し、前記生成した紐付け情報を前記画像記憶処理部へ出力する通知部とを備える。
【０２０１】
このような被監視者監視支援システムは、所定の監視者が監視領域に入場すると、前記第１および第２特定情報のうちの一方の特定情報を読み取って他方の特定情報に紐付けることによって前記第１および第２特定情報を互いに紐付けた紐付け情報を生成し、前記第２特定情報の入力を受け付け、監視記録情報の入力を受け付けると、前記受け付けた第２特定情報と前記受け付けた監視記録情報とを互いに紐付けて紐付け監視記録情報を生成し、一方、前記撮像部から画像とその第２特定情報とを得る。そして、被監視者監視支援システムは、前記撮像部からの第２特定情報、前記第１生成部からの紐付け情報、および、前記第２生成部からの紐付け監視記録情報に基づいて、前記撮像部からの画像を、前記監視記録情報と前記第１特定情報とに紐付けて前記画像記憶部に記憶する。すなわち、上記被監視者監視支援システムは、前記第１生成部からの前記紐付け情報から、前記撮像部からの前記第２特定情報に対応する前記第１特定情報を得て、前記第２生成部からの前記紐付け監視記録情報から、前記撮像部からの前記第２特定情報に対応する前記監視記録情報を得て、これら得られた前記第１特定情報および前記監視記録情報に、前記撮像部からの画像を紐付けて前記画像記憶部に記憶する。したがって、上記被監視者監視支援システムは、所望（目的）の監視者が記録した監視記録に対する、例えば介護等の状況を直接的に示す画像を記憶（記録）できる。
【０２０２】
他の一態様では、上述の被監視者監視支援システムにおいて、前記読取部は、さらに、前記監視者が前記監視領域から退場する場合に、前記第１および第２特定情報のうちの一方の特定情報を読み取り、前記読取部で読み取った前記一方の特定情報を管理し、既に管理している前記一方の特定情報が前記読取部でさらに読み取った場合に、前記既に管理している前記一方の特定情報の管理を解除する管理部と、前記管理部で管理されている前記一方の特定情報が有る場合に、撮像開始の指示を前記撮像部へ出力し、前記管理部で管理されている前記一方の特定情報が無くなった場合に、撮像終了の指示を前記撮像部へ出力する撮像制御部とをさらに備え、前記撮像部は、前記撮像制御部から前記撮像開始の指示を受けると、撮像を開始し、前記撮像制御部から前記撮像終了の指示を受けると、撮像を終了する。
【０２０３】
このような被監視者監視支援システムは、管理下の前記一方の特定情報が有る場合に、撮像開始の指示を前記撮像部へ出力し、管理下の前記一方の特定情報が無くなった場合に、撮像終了の指示を前記撮像部へ出力する。すなわち、上記被監視者監視支援システムは、前記監視領域に対し、監視者が入場すると前記撮像開始を指示し、少なくとも１人の監視者が所在している間、撮像を継続し、そして、監視者が退場すると、前記撮像終了を指示する。このため、上記被監視者監視支援システムは、少なくとも１人の監視者が前記監視領域内に所在する間の画像を画像記憶部に記憶でき、監視者の所在に無関係に連続的に撮像する場合（例えば２４時間撮像）に較べて、画像のデータ容量を低減できる。
【０２０４】
他の一態様では、これら上述の被監視者監視支援システムにおいて、前記監視領域に対応して設けられ、前記監視領域に対する入場の有無を検知する入場検知部をさらに備え、前記生成部は、さらに、前記監視者が入る監視領域に対応する前記入場検知部で入場有りを検知した場合に、前記紐付き情報を前記画像記憶処理部へ出力する。好ましくは、上述の被監視者監視支援システムにおいて、前記入場検知部は、前記監視領域の境界に配置され、前記監視領域を検知領域とする赤外線型人感センサと、前記赤外線型人感センサの検知結果に応じて前記監視領域内への入場の有無を判定する入場判定部とを備える。
【０２０５】
監視領域に来たものの、状況の変化によって他の場所に向かう必要が生じた等のために、監視者は、前記読取部に前記一方の特定情報を読み取らせたものの、当該監視領域に入場しない場合も有り得る。上記被監視者監視支援システムは、入場検知部をさらに備え、前記入場検知部で入場有りを検知した場合に、前記紐付き情報を前記画像記憶処理部へ出力する。すなわち、前記第１生成部は、前記読取部で前記一方の特定情報を読み取った場合であって、かつ、前記監視者が入る監視領域に対応する前記入場検知部で入場有りを検知した場合に、前記紐付き情報を前記画像記憶処理部へ出力する。このため、監視者が読取部に前記一方の特定情報を読み取らせたものの、当該監視領域に対し入場しなかった場合、前記紐付き情報が前記画像記憶処理部へ出力されない。したがって、上記被監視者監視支援システムは、前記撮像部からの画像に、前記第１特定情報を、より適切に紐付けられる。
【０２０６】
他の一態様では、上述の被監視者監視支援システムにおいて、前記監視領域に対応して設けられ、前記監視領域に対する入退場の有無を検知する入退場検知部をさらに備え、前記撮像制御部は、さらに、前記監視者が入る監視領域に対応する前記入退場検知部で入場有りを検知した場合に、前記撮像開始の指示を前記撮像部へ出力し、さらに、前記監視が入る監視領域に対応する前記入退場検知部で退場有りを検知した場合に、前記撮像終了の指示を前記撮像部へ出力する。好ましくは、上述の被監視者監視支援システムにおいて、前記入退場検知部は、前記監視領域の境界に、所定の高さ位置に入退場方向に沿って並置するように配設された複数の発光部と、前記複数の発光部から前記入退場方向と直交する直交方向で所定の幅（例えば人幅以上の長さ等）で離間するように、かつ、前記複数の発光部それぞれから発光された各光をそれぞれ受光するように配設された複数の受光部と、前記複数の受光部それぞれの各受光結果に応じて前記監視領域に対する入退場の有無を判定する入退場判定部とを備える。
【０２０７】
上述のように、監視者は、前記読取部に前記一方の特定情報を読み取らせたものの、当該監視領域に入場しない場合も有り得る。一方、例えば介護等の作業が終了したと考えて、前記監視者は、前記読取部に前記一方の特定情報を読み取らせたものの、前記作業のやり残しに気づき、当該監視領域から退場しない場合も有り得る。上記被監視者監視視線システムは、入退場検知部をさらに備え、前記入退場検知部で入場有りを検知した場合に、前記撮像開始の指示を前記撮像部へ出力し、前記入退場検知部で退場有りを検知した場合に、前記撮像終了の指示を前記撮像部へ出力する。すなわち、前記撮像制御部は、前記読取部で前記一方の特定情報を読み取った場合であって、かつ、前記監視者が入る監視領域に対応する前記入退場検知部で入場有りを検知した場合に、前記撮像開始の指示を前記撮像部へ出力し、再度、前記読取部で前記一方の特定情報を読み取った場合であって、かつ、前記監視者が入る監視領域に対応する前記入退場検知部で退場有りを検知した場合に、前記撮像終了の指示を前記撮像部へ出力する。このため、監視者が読取部に前記一方の特定情報を読み取らせたものの、当該監視領域に対し入退場しなかった場合、前記撮像開始の指示や前記撮像終了の指示が行われない。したがって、上記被監視者監視支援システムは、より適切に、監視者の入退場に応じて画像を記憶（記録）できる。
【０２０８】
他の一態様にかかる被監視者監視支援方法は、監視領域に所在する監視対象の被監視者の監視を支援する被監視者監視支援方法であって、前記監視領域に対応して設けられる撮像部で、前記監視領域の画像を生成する画像生成工程と、前記画像生成工程で生成された画像を画像記憶部に記憶させる画像記憶処理工程と、所定の監視者が監視領域に対し入場する場合に、前記監視者を特定する第１特定情報および前記監視領域に対応する撮像部を特定する第２特定情報のうちの一方の特定情報を読み取る読取工程と、前記第１および第２特定情報のうちの他方の特定情報を予め持つ生成部で、前記他方の特定情報と前記読取工程で読み取った前記一方の特定情報とを互いに紐付けた紐付け情報を生成する第１生成工程と、前記第２特定情報の入力を受け付け、監視記録情報の入力を受け付けた場合に、前記受け付けた第２特定情報と前記受け付けた監視記録情報とを互いに紐付けて紐付け監視記録情報を生成する第２生成工程とを備え、前記撮像部は、予め自機の第２特定情報を持ち、前記画像記憶処理工程は、前記撮像部によって前記撮像工程で生成された画像を、前記撮像部の前記第２特定情報および前記生成部によって前記第１生成工程で生成された前記紐付け情報に基づく前記第１特定情報に紐付け、かつ、前記撮像部の前記第２特定情報および前記第２生成工程で生成された前記紐付き監視記録情報に基づく前記監視記録情報に紐付けて前記画像記憶部に記憶する。
【０２０９】
このような被監視者監視支援方法は、所定の監視者が監視領域に入場すると、前記第１および第２特定情報のうちの一方の特定情報を読み取って他方の特定情報に紐付けることによって前記第１および第２特定情報を互いに紐付けた紐付け情報を生成し、前記第２特定情報の入力を受け付け、監視記録情報の入力を受け付けると、前記受け付けた第２特定情報と前記受け付けた監視記録情報とを互いに紐付けて紐付け監視記録情報を生成し、一方、前記撮像部から画像とその第２特定情報とを得る。そして、被監視者監視支援方法は、前記撮像部からの第２特定情報、前記紐付け情報および前記紐付け監視記録情報に基づいて、前記撮像部からの画像を、前記監視記録情報と前記第１特定情報とに紐付けて前記画像記憶部に記憶する。すなわち、上記被監視者監視支援方法は、前記紐付け情報から、前記撮像部からの前記第２特定情報に対応する前記第１特定情報を得て、前記紐付け監視記録情報から、前記撮像部からの前記第２特定情報に対応する前記監視記録情報を得て、これら得られた前記第１特定情報および前記監視記録情報に、前記撮像部からの画像を紐付けて前記画像記憶部に記憶する。したがって、上記被監視者監視支援方法は、所望（目的）の監視者が記録した監視記録に対する、例えば介護等の状況を直接的に示す画像を記憶（記録）できる。
【０２１０】
この出願は、２０１８年１月１９日に出願された日本国特許出願特願２０１８−６９４９を基礎とするものであり、その内容は、本願に含まれるものである。
【０２１１】
本発明の実施形態が詳細に図示され、かつ、説明されたが、それは単なる図例及び実例であって限定ではない。本発明の範囲は、添付されたクレームの文言によって解釈されるべきである。
【０２１２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２１３】
本発明によれば、監視領域に所在する監視対象の被監視者の監視を支援する被監視者監視支援システムおよび被監視者監視支援方法が提供できる。
【図１】
2019142450.tif 000003
【図２】
2019142450.tif 000004
【図３】
2019142450.tif 000005
【図４】
2019142450.tif 000006
【図５】
2019142450.tif 000007
【図６】
2019142450.tif 000008
【図７】
2019142450.tif 000009
【図８】
2019142450.tif 000010
【図９】
2019142450.tif 000011
【図１０】
2019142450.tif 000012
【図１１】
2019142450.tif 000013
【図１２】
2019142450.tif 000014
【図１３】
2019142450.tif 000015
【図１４】
2019142450.tif 000016
【図１５】
2019142450.tif 000017
【国際調査報告】
2019142450.tif 000018
2019142450.tif 000019
2019142450.tif 000020
2019142450.tif 000021